(57)【特許請求の範囲】
【請求項１】
通常時には棚の前面に形成された開口から前記棚に収納された物品の出し入れや展覧を支障なく行うことができる初期状態で用いられ、地震などの震動が発生した際にこれを感知し、前記開口からの前記物品の落下を防止することができる作動状態に自動的に切り替わる落下防止装置であって、
前記棚に取付け固定される左右一対の筐体と、
前記左右一対の筐体それぞれに取り付けられる左右一対のアームと、
前記左右一対のアームそれぞれの前端部に架設される棒状部材とを備え、
前記左右一対の筐体それぞれは、
前記アームに設けられた係合部が係合することにより、前記棒状部材が前記棚に形成された開口の下方に位置した前記初期状態を維持するための第１の被係合部と、
前記第１の被係合部の略上方に形成され、前記係合部が係合することにより、前記棒状部材が前記棚に形成された開口の前方に位置した前記作動状態を維持するための第２の被係合部と、
中空の形状を有し、前記アームが前後方向と上下方向の交わる平面で回転するように前記アームの後端部を支持する回転支持部と、
前記アームが前記回転をするように、前記アームを上方成分および後方成分からなる付勢力で付勢する付勢手段と、
前後方向と上下方向の交わる平面で第１の回転運動をするための第１の回転軸を有する第１の振り子を含み、
前記落下防止装置は、地震などの震動が発生した際、前記第１の振り子が前記アームを略前方へと移動させることにより、前記係合部と前記第１の被係合部との係合が外れ、前記アームが前記付勢力の上方成分に付勢されてその前端部が上方へと移動するように前記回転をし、前記アームの係合部と前記第２の被係合部とが係合して前記作動状態となるように構成され、
前記第１の振り子は、前記第１の回転軸よりも後方に位置する重心と、前記第１の回転軸よりも下方において前記アームの後端部に当接する前端部とを有することにより、前記アームの後端部に前方への押力を伝え、前記初期状態において前記前方への押力が前記付勢力の後方成分よりも小さいことにより前記第１の回転運動を停止し、地震などの震動が発生した際、前記前方への押力が前記付勢力の後方成分よりも大きくなるように前記第１の回転運動をし、前記アームを略前方へと移動させることを特徴とする、落下防止装置。
【請求項２】
前記筐体は、前後方向と上下方向の交わる平面で第２の回転運動をするための第２の回転軸と、前記第１の振り子の前端部における前記第１の回転軸よりも上部に離間して相対する後端部とを有する第２の振り子をさらに含み、
前記第２の振り子は、地震などの震動が発生した際、その後端部が前記第１の振り子の前端部における前記第１の回転軸よりも上部に衝突するように前記第２の回転運動をする、請求項１に記載の落下防止装置。
【請求項３】
前記第２の振り子の重心は、前記初期状態において前記第２の回転軸よりも前方且つ上方に位置する、請求項２に記載の落下防止装置。
【請求項４】
前記第２の振り子の重量は、前記第１の振り子の重量よりも大きい、請求項２または３に記載の落下防止装置。
【請求項５】
前記筐体は、前記第２の振り子の前端部に当接することにより、前記第２の振り子が前記第１の振り子から離間する方向に前記第２の回転運動することを防止するためのストッパーをさらに含む、請求項２〜４のいずれかに記載の落下防止装置。
【請求項６】
前記第１の回転軸と前記第２の回転軸は同軸である、請求項２〜５のいずれかに記載の落下防止装置。
【請求項７】
前記第１の回転軸は、前記アームの後端部の近傍に位置する、請求項１〜６のいずれかに記載の落下防止装置。
【請求項８】
前記第１の振り子は、その後端部が前記筐体の背板に当接することにより、前記第１の回転運動を停止する、請求項１〜７のいずれかに記載の落下防止装置。
【請求項９】
前記第２の振り子は、その後端部が前記筐体の背板に当接することにより、前記第２の回転運動を停止する、請求項２〜８のいずれかに記載の落下防止装置。
【請求項１０】
前記第１の被係合部は、略前後方向に延びる第１の前後方向ガイド部と、前記前後方向ガイド部の後端部から略上方に鉤状に湾曲する第１の鉤状部とを有する、請求項１〜９のいずれかに記載の落下防止装置。
【請求項１１】
前記第２の被係合部は、略上下方向に延びる上下方向ガイド部と、前記上下方向ガイド部の上端部から略前方へと屈曲して延びる第２の前後方向ガイド部と、前記第２の前後方向ガイド部の前端部から略下方に鉤状に湾曲する第２の鉤状部とを有する、請求項１〜１０のいずれかに記載の落下防止装置。
【請求項１２】
前記回転支持部は、略前後方向に延びる天部と、前記天部の後端から屈曲して略前方に延びる部分を有する背部とを含む、請求項１〜１１のいずれかに記載の落下防止装置。
【請求項１３】
前記筐体の天板の内面には、前記付勢手段の一方の端部を取り付けるための付勢手段取付け部が突設され、前記付勢手段取付け部は略前後方向に並んで穿設された複数の付勢手段取付け孔を含む、請求項１〜１２のいずれかに記載の落下防止装置。
【請求項１４】
前記第２の振り子の後端部は、初期状態において、前記第１の振り子の前端部における前記第１の回転軸よりも上部に当接する部分をさらに含む、請求項２〜１３のいずれかに記載の落下防止装置。
【請求項１５】
前記棒状部材と前記棚板の前端部とを左右方向に亘って連結するように配設される網状またはシート状の落下防止具をさらに備える、請求項１〜１４のいずれかに記載の落下防止装置。
【発明の詳細な説明】
【技術分野】
【０００１】
この発明は、落下防止装置に関し、特に、通常時には棚に収納された物品の出し入れや展覧を支障なく行うことができる初期状態で用いられ、地震などの震動が発生した際にこれを感知し、棚からの物品の落下を防止することができる作動状態に自動的に切り替わる落下防止装置に関する。
【背景技術】
【０００２】
従来から、地震などの震動が発生することにより、棚に収納された物品が前面の開口などから落下してしまうという問題があった。このような問題を解決する方法として、例えば、開口の前方に水平方向に延びる棒状部材を配設し、物品の開口からの飛び出しを防止することが考えられる。しかしながら、このような棒状部材を常に配設すると、通常時において物品の出し入れや展覧が行い難くなってしまう。そこで、通常時には開口の下方（または上方）に棒状部材が位置することにより物品の出し入れや展覧を支障なく行うことができる状態（以下「初期状態」という）で用いられ、且つ地震などの震動が発生した際にこれを感知し、棒状部材が開口の前方に移動することにより物品の落下を防止することができる状態（以下「作動状態」という）に自動的に切り替わる落下防止装置が知られている。このような落下防止装置が、例えば、特許文献１〜３などに開示されている。
【０００３】
特許文献１の棚収納物品落下防止装置は、左右に偏平矩形の箱体が相対向しており、箱体それぞれの前面に設けられた長孔より突出した水平バーが上下に揺動自在に設けられる。箱体には、水平バーと一体の傾動板、傾動板を水平バーとともに上方に付勢するバネ、傾動板に係合支持する係合子、感震手段たる振り子などが内蔵される。平常時には水平バーが下方位置にあり、傾動板がスプリングの付勢力に抗して係合子に係合支持されて水平姿勢に維持される。ここで書棚に対して前後方向の震動があると、振り子が前後に振れ、振り子の重錐が係合子の下部に衝接し、係合子の下部を前方に揺動する。この係合子の揺動で係合子上端のローラが、傾動板の切欠きの水平切欠き辺から外れ、傾動板の係合支持を解き、傾動板はスプリングの付勢力により上方に傾動し、水平バーを上方位置に移動させる。
【０００４】
特許文献２の棚収納物品落下防止装置は、左右に偏平矩形の箱体が相対向しており、箱体それぞれの前側壁に設けられた長孔より傾動板の先端が突出し、傾動板に固着された水平バーが上下に揺動自在に架設される。平常時には水平バーは揺動の上方位置にあり且つ重ね合わされた２枚の傾動板は上端縁が水平状態にあり、この姿勢を支えるため、振り子の頭部の係合面が２枚の傾動板それぞれの下方の突出部に軸支されたローラに当接して支持している。ここで書架に対して前後方向の震動があると、振り子が感知して前後に振れ、重錐が前方に振れたとき、頭部の係合面がローラの当接位置から上方に逃げて係合が外れ、傾動板は上記姿勢の保持が解かれて自重により下方に傾動し、水平バーは下方位置に移動する。
【０００５】
特許文献３の感震式物品落下防止装置は、物品収納棚が前後方向に震動した場合、ウエイトが走行路内を前方に移動し、支持アームの突片に当接することにより、支持アームが枢軸を中心として上向きに回動する。これにより、支持アームと一体をなす作動片が後向きに回動して、被作動片が後方に押動され、それに伴って係止レバーも後方に揺動する。そして、係止レバーの下端と昇降部材の上面との係合が解除され、引張コイルばねの上向き付勢力が、引上げ部材を介して支持アームに伝達されることにより、水平部材が上方位置まで自動的に跳ね上げられる。また、引上げ部材に対し支持アームが下方位置から上方に移動するのが許容されるように連係してあるので、物品収納棚が縦震動した際に、支持アームは上方に回動することができる。支持アームが上方に回動すると、上記と同様に、水平部材が上方位置まで自動的に跳ね上げられる。
【先行技術文献】
【特許文献】
【０００６】
【特許文献１】特開平９−１４０４９０号公報
【特許文献２】特開平９−１７３１７０号公報
【特許文献３】特開２０１４−６８９９８号公報
【発明の概要】
【発明が解決しようとする課題】
【０００７】
特許文献１〜３の落下防止装置は、いずれも、震動に対する感度が十分でないという問題があった。具体的には、特許文献１，２の落下防止装置は、振り子が大きく振れるような震動が発生しないと作動状態に切り替わらない。また、特許文献３の落下防止装置は、ウエイトが走行路内を前方に摺動し、勢いよく支持アームの突片に衝突するような震動が発生しないと作動状態に切り替わらない。さらに、特許文献１，２の落下防止装置は、上下方向の震動を感知することができない。なお、特許文献３の落下防止装置は、上下方向の震動を感知することはできるが、その感度が十分でない。
【０００８】
それゆえに、この発明の主たる目的は、あらゆる方向の震動に対して十分な感度を有する落下防止装置を提供することである。
【課題を解決するための手段】
【０００９】
この発明に係る落下防止装置は、通常時には棚の前面に形成された開口から棚に収納された物品の出し入れや展覧を支障なく行うことができる初期状態で用いられ、地震などの震動が発生した際にこれを感知し、開口からの物品の落下を防止することができる作動状態に自動的に切り替わる落下防止装置であって、棚に取付け固定される左右一対の筐体と、左右一対の筐体それぞれに取り付けられる左右一対のアームと、左右一対のアームそれぞれの前端部に架設される棒状部材とを備え、左右一対の筐体それぞれは、アームに設けられた係合部が係合することにより、棒状部材が棚に形成された開口の下方に位置した初期状態を維持するための第１の被係合部と、第１の被係合部の略上方に形成され、係合部が係合することにより、棒状部材が棚に形成された開口の前方に位置した作動状態を維持するための第２の被係合部と、アームの後端部が取り付けられ、アームが前後方向と上下方向の交わる平面で回転するようにアームの後端部を支持する回転支持部と、アームが回転をするように、アームを上方成分および後方成分からなる付勢力で付勢する付勢手段と、前後方向と上下方向の交わる平面で第１の回転運動をするための第１の回転軸を有する第１の振り子を含み、落下防止装置は、地震などの震動が発生した際、第１の振り子がアームを略前方へと移動させることにより、係合部と第１の被係合部との係合が外れ、アームが付勢力の上方成分に付勢されてその前端部が上方へと移動するように回転をし、アームの係合部と第２の被係合部とが係合して作動状態となるように構成され、第１の振り子は、第１の回転軸よりも後方に位置する重心と、第１の回転軸よりも下方においてアームの後端部に当接する前端部とを有することにより、アームの後端部に前方への押力を伝え、初期状態において前方への押力が付勢力の後方成分よりも小さいことにより第１の回転運動を停止し、地震などの震動が発生した際、前方への押力が付勢力の後方成分よりも大きくなるように第１の回転運動をし、アームを略前方へと移動させることを特徴とする。
好ましくは、筐体は、前後方向と上下方向の交わる平面で第２の回転運動をするための第２の回転軸と、第１の振り子の前端部における第１の回転軸よりも上部に離間して相対する後端部とを有する第２の振り子をさらに含み、第２の振り子は、地震などの震動が発生した際、その後端部が第１の振り子の前端部における第１の回転軸よりも上部に衝突するように第２の回転運動をする。
さらに好ましくは、第２の振り子の重心は、初期状態において第２の回転軸よりも前方且つ上方に位置する。
さらに好ましくは、第２の振り子の重量は、第１の振り子の重量よりも大きい。
さらに好ましくは、筐体は、第２の振り子の前端部に当接することにより、第２の振り子が第１の振り子から離間する方向に第２の回転運動することを防止するためのストッパーをさらに含む。
好ましくは、第１の回転軸と第２の回転軸は同軸である。
好ましくは、第１の回転軸は、アームの後端部の近傍に位置する。
好ましくは、第１の振り子は、その後端部が筐体の背板に当接することにより、第１の回転運動を停止する。
さらに好ましくは、第２の振り子は、その後端部が筐体の背板に当接することにより、第２の回転運動を停止する。
好ましくは、第１の被係合部は、略前後方向に延びる第１の前後方向ガイド部と、前後方向ガイド部の後端部から略上方に鉤状に湾曲する第１の鉤状部とを有する。
好ましくは、第２の被係合部は、略上下方向に延びる上下方向ガイド部と、上下方向ガイド部の上端部から略前方へと屈曲して延びる第２の前後方向ガイド部と、第２の前後方向ガイド部の前端部から略下方に鉤状に湾曲する第２の鉤状部とを有する。
好ましくは、回転支持部は、略前後方向に延びる天部と、天部の後端から屈曲して略前方に延びる部分を有する背部とを含む。
好ましくは、筐体の天板の内面には、付勢手段の一方の端部を取り付けるための付勢手段取付け部が突設され、付勢手段取付け部は略前後方向に並んで穿設された複数の付勢手段取付け孔を含む。
好ましくは、第２の振り子の後端部は、初期状態において、第１の振り子の前端部における第１の回転軸よりも上部に当接する部分をさらに含む。
好ましくは、棒状部材と棚板の前端部とを左右方向に亘って連結するように配設される網状またはシート状の落下防止具をさらに備える。
【００１０】
この発明に係る落下防止装置が備える第１の振り子は、（第１の）回転軸よりも後方に位置する重心と、（第１の）回転軸よりも下方においてアームの後端部に当接する前端部とを有することにより、アームの後端部に前方への押力を伝える。第１の振り子による前方への押力は、初期状態において、付勢手段による付勢力の後方成分よりも小さい。したがって、第１の振り子は、初期状態において、（第１の）回転運動をアームにより停止させられた状態である。そして、第１の振り子は、地震などの震動が発生した際、その前方への押力が付勢力の後方成分よりも大きくなるように（第１の）回転運動することで、アームを略前方へと移動させる。これにより、アームの係合部と第１の被係合部との係合が外れる。すると、アームが付勢力の上方成分に付勢されてその前端部が上方へと移動するように回転し、作動状態に切り替わる。この発明に係る落下防止装置は、上記のように動作する第１の振り子やその他の構成を備えることにより、感度よく作動状態に切り替わることができる。
【発明の効果】
【００１１】
この発明によれば、あらゆる方向の震動に対して十分な感度を有する落下防止装置を提供し得る。
【００１２】
この発明の上述の目的、その他の目的、特徴および利点は、図面を参照して行う以下の発明を実施するための形態の説明から一層明らかとなろう。
【図面の簡単な説明】
【００１３】
【図１】この発明の一実施の形態に係る落下防止装置の初期状態を示す斜視図である。
【図２】この発明の一実施の形態に係る落下防止装置の初期状態の右側の構造を拡大して示す斜視図である。
【図３】この発明の一実施の形態に係る落下防止装置の作動状態を示す斜視図である。
【図４】この発明の一実施の形態に係る落下防止装置の作動状態の右側の構造を拡大して示す斜視図である。
【図５】この発明の一実施の形態に係る落下防止装置が備える左右一対の筐体を示す斜視図である。
【図６】この発明の一実施の形態に係る落下防止装置が備える左右一対の第１の振り子を示す斜視図である。
【図７】この発明の一実施の形態に係る落下防止装置が備える左右一対の第２の振り子を示す斜視図である。
【図８】この発明の一実施の形態に係る落下防止装置が備える左右一対の第１の振り子に第２の振り子を宛がった様子を示す斜視図である。
【図９】この発明の一実施の形態に係る落下防止装置が備える左右一対のバネ部材を示す正面図である。
【図１０】この発明の一実施の形態に係る落下防止装置が備える左右一対のアームを示す斜視図である。
【図１１】この発明の一実施の形態に係る落下防止装置が備える落下防止バーを示す図であり、（Ａ）が斜視図、（Ｂ）が（Ａ）のＸＩＢ−ＸＩＢ断面図である。
【図１２】この発明の一実施の形態に係る落下防止装置を組み立てる様子の一例を示す斜視図である。
【図１３】この発明の一実施の形態に係る落下防止装置の初期状態を示す図であり、（Ａ）が右側面図、（Ｂ）が前方への押力と付勢力の後方成分との関係を示す図である。
【図１４】この発明の一実施の形態に係る落下防止装置の作動状態を示す図であり、（Ａ）が右側面図、（Ｂ）が前方への押力と付勢力の後方成分との関係を示す図である。
【図１５】この発明の一実施の形態に係る落下防止装置の初期状態を右側面から見たときの部分断面図である。
【図１６】この発明の一実施の形態に係る落下防止装置のアーム前方ダボと第１の被係合部の係合が外れようとしている状態を右側面から見たときの部分断面図である。
【図１７】この発明の一実施の形態に係る落下防止装置の作動状態を右側面から見たときの部分断面図である。
【図１８】この発明の一実施の形態に係る落下防止装置の変形例１を示す右側面図であり、（Ａ）が初期状態、（Ｂ）が作動状態である。
【図１９】この発明の一実施の形態に係る落下防止装置の変形例２を示す右側面図であり、（Ａ）が初期状態、（Ｂ）が作動状態である。
【図２０】この発明の一実施の形態に係る落下防止装置の変形例３が備える左右一対の第１の振り子を示す斜視図である。
【図２１】この発明の一実施の形態に係る落下防止装置の変形例３が備える左右一対の第２の振り子を示す斜視図である。
【図２２】この発明の一実施の形態に係る落下防止装置の変形例３が備える左右一対の第１の振り子に第２の振り子を宛がった様子を示す斜視図である。
【図２３】この発明の一実施の形態に係る落下防止装置の変形例４を示す右側面図であり、（Ａ）が初期状態、（Ｂ）が作動状態である。
【図２４】この発明の一実施の形態に係る落下防止装置の変形例４を示す図であり、第２の振り子が左回転することにより作動状態に切り替わったときの右側面図である。
【発明を実施するための形態】
【００１４】
（落下防止装置１０）
以下、図面を参照してこの発明の一実施の形態に係る落下防止装置について説明する。図１は、この発明の一実施の形態に係る落下防止装置の初期状態を示す斜視図である。図２は、この発明の一実施の形態に係る落下防止装置の初期状態の右側の構造を拡大して示す斜視図である。図３は、この発明の一実施の形態に係る落下防止装置の作動状態を示す斜視図である。図４は、この発明の一実施の形態に係る落下防止装置の作動状態の右側の構造を拡大して示す斜視図である。なお、図１，３では、棚Ｓ１０の開口側から見て右側に位置する側板Ｓ１２に隠れて見えない部分を破線で示してある。また、図２，４では、落下防止装置１０の内部構造を示すため、当該側板Ｓ１２を一部破断して記載しているが、図１，３に示すように、実際のところ側板Ｓ１２は棚板Ｓ１６の前端面よりもやや前方まで存在する。
【００１５】
この発明の一実施の形態に係る落下防止装置１０は、図１，２に示すように、通常時には落下防止バー２５０（棒状部材）が棚板Ｓ１６の前端面に沿って（すなわち、棚Ｓ１０の前面に形成された開口の下方に）位置することにより、棚Ｓ１０に収納された物品Ｍの出し入れや展覧を支障なく行うことができる初期状態で用いられる。そして、落下防止装置１０は、地震などの震動が発生した際にこれを感知し、図３，４に示すように、落下防止バー２５０が上方（すなわち、棚Ｓ１０の開口の前方）に移動することにより、棚Ｓ１０からの物品Ｍの落下を防止することができる作動状態に自動的に切り替わる。
【００１６】
この実施の形態に係る落下防止装置１０が取り付けられる棚Ｓ１０は、互いに平行に立設された左右一対の側板Ｓ１２，Ｓ１２と、左右一対の側板Ｓ１２，Ｓ１２の後方をカバーするように立設された背板Ｓ１４と、左右一対の側板Ｓ１２，Ｓ１２および背板Ｓ１４の内面に挟まれ、水平面上を延びるように配設された棚板Ｓ１６とを備える。なお、以下の説明において、左右方向とは棚板Ｓ１６が延びる方向である。また、前後方向とは水平面上において左右方向に直交する方向である。また、上下方向とは左右方向および前後方向に直交する方向（すなわち、立設された左右一対の側板Ｓ１２，Ｓ１２および背板Ｓ１４が延びる方向）である。
【００１７】
落下防止装置１０は、左右一対の筐体２０ａ，２０ｂと、左右一対のアーム２００ａ，２００ｂと、落下防止バー２５０とを備える。そして、棚Ｓ１０の開口側から見て右側の筐体２０ａには、第１の振り子１３０ａと、第２の振り子１６０ａと、回転軸１９０ａと、バネ部材２４０ａ（付勢手段）とが内蔵され、アーム２００ａが取り付けられる。また、棚Ｓ１０の開口側から見て左側の筐体２０ｂには、右側の筐体２０ａと同様に、第１の振り子１３０ｂと、第２の振り子１６０ｂと、回転軸１９０ｂと、バネ部材２４０ｂとが内蔵され、アーム２００ｂが取付けられる。
【００１８】
落下防止装置１０は、落下防止バー２５０を除いた構成が左右一対であり、落下防止バー２５０の長さ方向（左右方向）の中央部における前後方向と上下方向が交わる平面に関して面対称である。したがって、以下の説明では特に必要な場合を除き、棚Ｓ１０の開口側から見て右側の構成についてのみ説明し、左側の同様となる説明は繰り返さない。
【００１９】
（筐体２０ａ）
図５は、この発明の一実施の形態に係る落下防止装置が備える左右一対の筐体を示す斜視図である。筐体２０ａは、平面視略矩形状の底板３０と、底板３０の左端辺（すなわち、内側端辺）から立ち上がる側板６０と、底板３０の前端辺から立ち上がる前板９０と、底板３０の後端辺の近傍から立ち上がる背板１１０と、側板６０、前板９０および背板１１０の上端面に設けられる天板１２０とを含む。すなわち、筐体２０ａは、単独ではその右側面に開口を有する。そして、筐体２０ａは、棚板Ｓ１６の右端辺に沿って取付けられることにより、その右側面の開口が棚Ｓ１０の側板Ｓ１２に塞がれる。
【００２０】
（筐体２０ａの底板３０）
底板３０の前端辺の近傍と、後端辺の近傍（背板１１０よりも後部）とには、それぞれ、上下方向に貫通する筐体取付け孔５８が穿設される。筐体２０ａは、この筐体取付け孔５８，５８から螺子などの固定手段を挿通されることにより、棚板Ｓ１６の上面に取り付け固定される。底板３０の前後方向の中央よりも後部には、アーム２００ａが前後方向と上下方向の交わる平面で回転できるようにアーム２００ａの後端部を支持するための回転支持部３２が突設される。また、底板３０の右端辺（すなわち、外側端辺）における前後方向の中央よりも前部には、前方アーム制動部５６が上方に向けて突設される。前方アーム制動部５６は、初期状態においてアーム２００ａが左右方向に揺れ動くことを規制するために設けられる。これにより、アーム２００ａが棚Ｓ１０の側板Ｓ１２に接触することを防止することができる。
【００２１】
（回転支持部３２）
回転支持部３２は、上記したように、アーム２００ａが前後方向と上下方向の交わる平面で回転できるようにアーム２００ａの後端部を支持するために設けられる。回転支持部３２は中空の形状を有する。回転支持部３２は、その前面に位置する支持前部３４と、支持前部３４の上端から屈曲して略後方に延びる支持天部３６（略前後方向に延びる天部）と、支持天部３６の後端から屈曲して筐体２０ａの底板３０まで至る支持背部４０とを含む。支持背部４０は、その上部に位置し、支持天部３６の後端から屈曲して緩やかに下方へと傾斜しながら略前方に延びる支持背上部４２（背部が有する天部の後端から屈曲して略前方に延びる部分）と、支持背上部４２の下端から略下方に延びて底板３０まで至る支持背下部４４とを有する。支持背上部４２は、支持天部３６の後方部分と併せて側面視略Ｕ字を９０°左回転したような形状を形成する。回転支持部３２には、その左右方向の略中央において、その前端から後端までに亘って（すなわち、支持前部３４の下端から上方に延び、支持天部３６に沿って略後方に屈曲し、支持背上部４２を経て支持背下部４４の下端まで至る）、前後方向に貫通する支持長孔４６が穿設される。支持長孔４６は、後方アーム挿入部４８と、後方アーム被スライド部５０と、第１の振り子前端挿通部５２とを含む。後方アーム挿入部４８、後方アーム被スライド部５０、および第１の振り子前端挿通部５２は、互いに連なった一つの孔（支持長孔４６）である。後方アーム挿入部４８は、支持前部３４においてその下端辺から上下方向の略中央まで延び、正面視略四角形状である。後方アーム被スライド部５０は、後方アーム挿入部４８の上端辺における左右方向の略中央から上方に延び、支持天部３６に沿って屈曲して略後方に延び、支持天部３６における前後方向の略中央まで至る。第１の振り子前端挿通部５２は、アーム被スライド部５０に連設されて支持天部３６における前後方向の略中央から略後方に延び、支持背上部４２に沿って屈曲し、支持背下部４４を経て筐体２０ａの底板３０まで至る。
【００２２】
支持天部３６の上面における前後方向の略中央には、後方アーム制動部５４が突設される。後方アーム制動部５４は、左右方向に延びた略板状である。支持長孔４６の後方アーム制動部５４よりも前方部分が後方アーム被スライド部５０を形成し、支持長孔４６の後方アーム制動部５４よりも後方部分が第１の振り子前端挿通部５２を形成する。
【００２３】
後方アーム挿入部４８の幅（左右方向の寸法）は、アーム２００ａの後端部において最も大きい厚み（左右方向の寸法）よりも大きい。ここで、アーム２００ａの後端部において最も大きい厚み寸法とは、アーム本軸部２０２の厚み寸法と、アーム後端外側ダボ２０４の軸方向の寸法（左右方向の寸法）と、アーム後端内側ダボ２０５の軸方向の寸法（左右方向の寸法）とを合わせた寸法のことである。後方アーム被スライド部５０の幅（左右方向の寸法）は、アーム本軸部２０２の厚みよりも大きい。第１の振り子前端挿通部５２の幅は、第１の振り子１３０ａの前端部（アーム後端当接部１３６）の厚み（左右方向の寸法）よりも大きい。なお、後方アーム被スライド部５０の幅と、第１の振り子前端挿通部５２の幅とは互いに等しいことが好ましい。これにより、回転支持部３２の形成を容易に行うことができる。
【００２４】
（第１の被係合部６２）
筐体２０ａの側板６０の内面（右面）において、その前端辺の下部には、アーム前方内側ダボ２０７（係合部）に係合することにより初期状態を維持するための第１の被係合部６２が突設される。第１の被係合部６２は、筐体２０ａの前板９０から略後方に延びる第１の前後方向ガイド部６４と、前後方向ガイド部６４の後端部から略上方に鉤状に湾曲する第１の鉤状部６６とを有する。
【００２５】
（第２の被係合部７２）
筐体２０ａの側板６０の内面において、第１の被係合部６２の略上部には、アーム前方内側ダボ２０７に係合することにより作動状態を維持するための第２の被係合部７２が突設される。第２の被係合部７２は、その下端部から後方に傾斜しながら上方に延びる上下方向ガイド部７４と、上下方向ガイド部７４の上端部から略前方へと屈曲して前方に延びる第２の前後方向ガイド部７６と、第２の前後方向ガイド部７６の前端部から略下方に鉤状に湾曲する第２の鉤状部７８とを有する。
【００２６】
（ストッパー８０）
筐体２０ａの側板６０の内面において、回転支持部３２の略上部には、略円筒形状のストッパー８０が突設される。ストッパー８０は、第２の振り子１６０ａが第１の振り子１３０ａから離間する方向に回転運動することを防止するために設けられる。
【００２７】
（筐体回転軸取付け部８２）
筐体２０ａの側板６０には、回転支持部３２の支持天部３６と支持背部４０との接続部の外面に沿うように（アーム２００ａの後端部の近傍に）、側面視略円形状の筐体回転軸取付け部８２が形成される。筐体回転軸取付け部８２は、第１の振り子１３０ａおよび第２の振り子１６０ａが前後方向と上下方向の交わる平面で回転運動（第１の回転運動、第２の回転運動）するための回転軸１９０ａを筐体２０ａに対して取付け固定するために設けられる。筐体回転軸取付け部８２は、側板６０を左右方向に貫通する筐体回転軸取付け孔８４と、筐体回転軸取付け孔８４と左右方向に連なる軸孔を有し、側板６０の内面に突設される略円環状の筐体回転軸取付け円環部８６とを有する。この筐体回転軸取付け円環部８６により、第１の振り子１３０ａの内側主面と、筐体２０ａの側板６０の内面とが離間して当接しないため、後述するように第１の振り子１３０ａが前後方向と上下方向の交わる平面でスムーズに回転運動することができる。
【００２８】
（筐体２０ａの前板９０）
筐体２０ａの前板９０は、底板３０の前端辺から上方に延びたあと、後方に傾斜してさらに上方に延びる形状を有する。前板９０は、棚Ｓ１０に取り付けられたとき、側板Ｓ１２に当接して上下方向に延びる前板外側部９２と、前板外側部９２の内側端辺に沿って一体的に形成され、前板外側部９２よりも略後方に位置して上下方向に延びる前板内側部９４とを有する。前板外側部９２は、底板３０よりも下方に延びていることが好ましい。これにより、筐体２０ａは、前板外側部９２における底板３０よりも下部の背面と底板３０の底面とにより形成される角部を、棚板Ｓ１６の前端面と上面とにより形成される角部に宛がうことにより、棚板Ｓ１６の適切な位置に容易に取り付けることができる。筐体２０ａの前板９０には、アーム２００ａの前端部が筐体２０ａから突き出て上下運動するための前板長孔９６が穿設される。前板長孔９６は、前板外側部９２と前板内側部９４とに亘って形成された正面視略四角形状の前方アーム挿入部９８と、前方アーム挿入部９８の下端辺の左右方向の略中央から、前板内側部９４における外側端辺に沿って下方に延びる正面視略矩形状の前方アーム被スライド部１００とを有する。なお、上記した第１の被係合部６２は、その第１の前後方向ガイド部６４が、前板内側部９４の内面（背面）における前方アーム被スライド部１００の下端辺に沿った位置から略後方に延びるように形成される。
【００２９】
（筐体２０ａの背板１１０）
筐体２０ａの背板１１０の外側端辺における上下方向の中央よりも下部には、第１の振り子制動部１１２が前方に向けて突設される。第１の振り子制動部１１２は、第１の振り子１３０ａが左右方向に揺れ動くことを規制するために設けられる。これにより、第１の振り子１３０ａが棚Ｓ１０の側板Ｓ１２に接触することを防止することができる。さらに、背板１１０の外側端辺における上下方向の中央よりも上部には、第２の振り子制動部１１４が前方に向けて突設される。第２の振り子制動部１１４は、第２の振り子１６０ａが左右方向に揺れ動くことを規制するために設けられる。これにより、第２の振り子１６０ａが棚Ｓ１０の側板Ｓ１２に接触することを防止することができる。なお、第１の振り子制動部１１２と、第２の振り子制動部１１４とは、互いに同様の形状を有する。
【００３０】
（筐体２０ａの天板１２０）
筐体２０ａの天板１２０には、回転支持部３２の前後方向の位置とほぼ同じ位置に、バネ一方端部２４４を取り付けるためのバネ一方端取付け部１２２（付勢手段取付け部）が下方に向けて突設される。バネ一方端取付け部１２２は、略前後方向に延び、且つ左右方向それぞれに主面を有する略平板状である。バネ一方端取付け部１２２には、左右方向に貫通した複数のバネ一方端取付け孔１２４（付勢手段取付け孔）が穿設される。複数のバネ一方端取付け孔１２４は、前後方向に並んで配設される。
【００３１】
（第１の振り子１３０ａ）
図６は、この発明の一実施の形態に係る落下防止装置が備える左右一対の第１の振り子を示す斜視図である。第１の振り子１３０ａは、第１の振り子本体１３２と、第１の振り子本体１３２の前端面の内側端辺に沿って一体的に形成される第１の振り子前端部１３４とを有する。第１の振り子１３０ａは、左右方向それぞれに主面を有する略平板状に形成される。第１の振り子前端部１３４の内側主面（左面）は、第１の振り子本体１３２の内側主面と同一平面になるように形成される。一方、第１の振り子前端部１３４の外側主面（右面）は、第１の振り子本体１３２の外側主面から凹むように形成される。したがって、第１の振り子前端部１３４の厚み（左右方向の寸法）は、第１の振り子本体１３２の厚みよりも薄い。さらに、第１の振り子前端部１３４の上面および底面は、第１の振り子本体１３２の上面および底面と同一平面になるように形成される。なお、第１の振り子１３０ａの厚み（左右方向の寸法）は、筐体２０ａの側板６０と、筐体２０ａの背板１１０の外側端辺から突設された第１の振り子制動部１１２とが左右方向において離間する距離よりも薄い。
【００３２】
第１の振り子前端部１３４は、回転軸１９０ａを挿通するため、左右方向に貫通するように穿設された側面視円形状の第１の回転軸挿通孔１３８を有する。さらに、第１の振り子前端部１３４は、第１の回転軸挿通孔１３８の下部において、略上下方向に延び、アーム２００ａの後端部に当接するように配設されるアーム後端当接部１３６を有する。アーム後端当接部１３６の外側主面は、第１の振り子前端部１３４の他の部分の外側主面と同一平面になるように形成される。一方、アーム後端当接部１３６の内側主面は、第１の振り子前端部１３４の他の部分の内側主面から凹むように形成される。したがって、アーム後端当接部１３６の厚み（左右方向の寸法）は、第１の振り子前端部１３４の他の部分の厚みよりも薄い。
【００３３】
第１の振り子１３０ａは、初期状態を右側面視したとき、前端辺から後端辺に向かって上方へと直線状に傾斜した第１の振り子底面１４０と、第１の振り子底面１４０の後端辺から上方へと略円弧状に湾曲した第１の振り子背面円弧部１４２と、第１の振り子背面円弧部１４２の上端辺から前方に屈曲して上方へと直線状に傾斜して延びる第１の振り子背面平坦部１４４と、第１の振り子背面平坦部１４４の上端辺から下方に屈曲して前方へと直線状に傾斜して延びる第１の振り子上面１４６と、第１の振り子上面１４６の前端辺から、第１の回転軸挿通孔１３８と上下方向の位置をほぼ同じにして、略下方にやや延びる第１の振り子前面上部１４８と、第１の振り子前面上部１４８の下端辺から後方に屈曲して下方へと直線状に傾斜して延びる第１の振り子前面中央部１５０と、第１の振り子前面中央部１５０の下端辺から下方へと直線状に延びる第１の振り子前面下部１５２とを有する。
【００３４】
第１の振り子底面１４０は、第１の振り子本体１３２の底面および第１の振り子前端部１３４の底面からなる。第１の振り子背面円弧部１４２および第１の振り子背面平坦部１４４は、第１の振り子本体１３２の背面からなる。第１の振り子上面１４６は、第１の振り子本体１３２の上面および第１の振り子前端部１３４の上面からなる。第１の振り子前面上部１４８、第１の振り子前面中央部１５０および第１の振り子前面下部は、第１の振り子前端部１３４の前面からなる。
【００３５】
（第２の振り子１６０ａ）
図７は、この発明の一実施の形態に係る落下防止装置が備える左右一対の第２の振り子を示す斜視図である。第２の振り子１６０ａは、第２の振り子本体１６２と、第２の振り子本体１６２の底面における前端辺から外側端辺沿って後方に延びるように一体的に形成される第２の振り子前端部１６４とを有する。第２の振り子１６０ａは、左右方向それぞれに主面を有する略平板状に形成される。第２の振り子前端部１６４の外側主面（右面）は、第２の振り子本体１６２の外側主面と同一平面になるように形成される。一方、第２の振り子前端部１６４の内側主面（左面）は、第２の振り子本体１６２の内側主面から凹むように形成される。したがって、第２の振り子前端部１６４の厚み（左右方向の寸法）は、第２の振り子本体１６２の厚みよりも薄い。さらに、第２の振り子前端部１６４の前面は、第２の振り子本体１６２の前面と同一平面になるように形成される。なお、第２の振り子１６０ａの厚み（左右方向の寸法）は、筐体２０ａの側板６０と、筐体２０ａの背板１１０の外側端辺から突設された第２の振り子制動部１１４とが左右方向において離間する距離よりも薄い。また、第２の振り子１６０ａの厚みは、第１の振り子１３０ａの厚みにほぼ等しい。第２の振り子１６０ａの重量は、第１の振り子１３０ａの重量よりも大きいことが好ましい。
【００３６】
第２の振り子前端部１６４は、回転軸１９０ａを挿通するため、左右方向に貫通するように穿設された側面視円形状の第２の回転軸挿通孔１６８を有する。
【００３７】
第２の振り子１６０ａは、初期状態を右側面視したとき、第２の回転軸挿通孔１６８における前部（の上下方向の略中央部）から下部を経て後部（の上下方向の略中央部）までの部分に沿い、円弧状に湾曲した第２の振り子底面円弧部１７０と、第２の振り子底面円弧部１７０の前端辺から略前方に突き出るように形成された第２の振り子底面平坦部１７２と、第２の振り子底面円弧部１７０の後端辺から略上方に延びるように形成された第２の振り子背面下部１７４と、第２の振り子背面下部１７４の上端辺から後方に屈曲して上方へと直線状に傾斜して延びる第２の振り子背面中央部１７６と、第２の振り子背面中央部１７６の後端辺から前方に屈曲して上方へと直線状に傾斜して延びる第２の振り子背面上部１７８と、第２の振り子背面上部１７８の上端辺から略前方へと延びる第２の振り子上面後部１８０と、第２の振り子上面後部１８０の前端辺から下方に屈曲して前方へと直線状に傾斜して延びる第２の振り子上面前部１８２と、第２の振り子上面前部１８２の前端辺から後方に屈曲して下方へと直線状に傾斜して第２の振り子底面平坦部１７２の前端辺まで至る第２の振り子前面１８４とを有する。
【００３８】
第２の振り子底面円弧部１７０および第２の振り子底面平坦部１７２は、第２の振り子前端部１６４の底面からなる。第２の振り子背面下部１７４は、第２の振り子前端部１６４の背面からなる。第２の振り子背面中央部１７６、第２の振り子背面上部１７８、第２の振り子上面後部１８０および第２の振り子上面前部１８２は、第２の振り子本体１６２からなる。第２の振り子前面１８４は、第２の振り子本体１６２の前面および第２の振り子前端部１６４の前面からなる。
【００３９】
図８は、この発明の一実施の形態に係る落下防止装置が備える左右一対の第１の振り子に第２の振り子を宛がった様子を示す斜視図である。上記したように、第１の振り子前端部１３４の外側主面は、第１の振り子本体１３２の外側主面から凹むように形成される。また、第２の振り子前端部１６４の内側主面は、第２の振り子本体１６２の内側主面から凹むように形成される。そして、第１の振り子前端部１３４の外側主面と、第２の振り子前端部１６４の内側主面とは、互いに対応した形状を有する。したがって、第１の振り子前端部１３４の外側主面に第２の振り子前端部１６４の内側主面を宛がうと、第１の振り子１３０ａと第２の振り子１６０ａの外側主面同士、および第１の振り子１３０ａと第２の振り子１６０ａの内側主面同士が、それぞれ、同一平面となる。また、このとき、第１の振り子１３０ａの上面（第１の振り子上面１４６）と、第２の振り子１６０ａの底面（第２の振り子背面中央部１７６、および第２の振り子背面中央部１７６の前端辺における内側から第２の振り子前端部１６４に沿って略前方に延びる部分）が互いに当接し合う。
【００４０】
（バネ部材２４０ａ）
図９は、この発明の一実施の形態に係る落下防止装置が備える左右一対のバネ部材を示す正面図である。バネ部材２４０ａは、軸方向に延びるコイル部２４２と、コイル部２４２の一方の端部に設けられる鉤状のバネ一方端部２４４と、コイル部２４２の他方の端部に設けられる鉤状のバネ他方端部２４６とを有する。
【００４１】
（アーム２００ａ）
図１０は、この発明の一実施の形態に係る落下防止装置が備える左右一対のアームを示す斜視図である。アーム２００ａは、初期状態において略前後方向に延びるアーム本軸部２０２と、アーム本軸部２０２の前端部から下方に屈曲するアーム屈曲部２１２とを含む。アーム本軸部２０２およびアーム屈曲部２１２の厚み（左右方向の寸法）は、筐体２０ａの側板６０と、前方アーム制動部５６とが左右方向において離間する距離、および回転支持部３２に穿設された支持長孔４６の幅（左右方向の寸法）よりも薄い。アーム本軸部２０２の長さ（初期状態における略前後方向の寸法）は、回転支持部３２の支持背上部４２の屈曲した部分の内面から筐体２０ａの前板９０までの距離にほぼ等しい。アーム屈曲部２１２の長さ（初期状態における略上下方向の寸法）は、筐体２０ａの前板長孔９６の下端辺から底板３０までの距離よりもやや長い。
【００４２】
アーム本軸部２０２の後端部の外面（右面）には、略円柱状（側面視略円形状）のアーム後端外側ダボ２０４が突設される。同様に、アーム本軸部２０２の後端部の内面（左面）には、略円柱状（側面視略円形状）のアーム後端内側ダボ２０５が突設される。さらに、アーム本軸部２０２の前端部近傍の外面には、略円柱状（側面視略円形状）のアーム前方外側ダボ２０６が突設される。また、アーム本軸部２０２の前端部近傍の内面には、略円柱状（側面視略円形状）の下半分がその軸方向（左右方向）に沿って切断され、側面視したとき上半分のみの略半円形状であるアーム前方内側ダボ２０７が突設される。すなわち、アーム前方内側ダボ２０７は、アーム２００ａの長さ方向に沿って延びる底面を有する。
【００４３】
アーム本軸部２０２の前後方向における略中央部には、バネ他方端部２４６を取り付けるため、左右方向に貫通する平面視円形状のバネ他方端取付け孔２０８が穿設される。また、アーム本軸部２０２の上端面には、バネ他方端取付け孔２０８よりもやや前方の位置にアーム突部２１０が設けられる。アーム突部２１０は、アーム本軸部２０２の上端面から突設された部分と、当該突設された部分の先端から外側（右側）に屈曲して延びる部分と、当該外側に屈曲して延びる部分の先端から上方に屈曲する部分とを含む形状である。また、アーム屈曲部２１２の下端部には、落下防止バー２５０の軸孔２５８に嵌合される落下防止バー取付け部２１４が内側（左側）に向けて突設される。さらに、落下防止バー取付け部２１４には、落下防止バー２５０に穿設される長さ調節孔２５２とともに螺子などの固定手段に貫通され、落下防止バー取付け部２１４に落下防止バー２５０を固定するための上下方向に貫通する落下防止バー取付け孔２１８が穿設される。
【００４４】
（落下防止バー２５０）
図１１は、この発明の一実施の形態に係る落下防止装置が備える落下防止バーを示す図であり、（Ａ）が斜視図、（Ｂ）が（Ａ）のＸＩＢ−ＸＩＢ断面図である。落下防止バー２５０（棒状部材）は、左右一対のアーム２００ａ，２００ｂそれぞれの前端部（アーム屈曲部２１２，２１２）に架設される。落下防止バー２５０は、左右方向に延びる底板と、底板の前端辺から立ち上がる前板と、底板の後端辺から立ち上がる背板と、前板および背板の上端面に配設される天板とを含む。落下防止バー２５０は、左右方向に貫通する軸孔２５８を有する。落下防止バー２５０の底板における左端辺および右端辺の近傍それぞれには、底板を上下方向に貫通し、左右方向に延びる長さ調節孔２５２が穿設される。この長さ調節孔２５２により、棚Ｓ１０に取り付ける際に落下防止装置１０の幅寸法（左右方向の寸法）を調節することができる。
【００４５】
（落下防止装置１０の取付け手順）
つづいて、落下防止装置１０を組み立てて棚Ｓ１０に取り付ける手順の一例について説明する。図１２は、この発明の一実施の形態に係る落下防止装置を組み立てる様子の一例を示す斜視図である。はじめに、アーム２００ａを筐体２０ａに取り付ける。具体的には次の通りである。まず、筐体２０ａの前板９０の上部に穿設された前方アーム挿入部９８よりアーム２００ａをその後端部から挿入していく。そして、アーム２００ａの後端部を筐体２０ａの後部に突設された回転支持部３２に後方アーム挿入部４８から挿入する。次に、アーム２００ａの長さ方向の略中央に穿設されたバネ他方端取付け孔２０８にバネ他方端部２４６を取り付けるとともに、バネ一方端部２４４を筐体２０ａの天板１２０のバネ上端取付け部１２２に穿設された複数のバネ上端取り付け孔１２４のいずれかに取り付ける。このとき、バネ部材２４０ａは、筐体２０ａの側板６０から突設されたストッパー８０よりも前方に位置する。このようにしてアーム２００ａを筐体２０ａに取り付ける。このとき、アーム２００ａは、そのアーム前方内側ダボ２０７がバネ部材２４０ａの付勢力により第２の被係合部７２に係合し、且つその前端部（アーム屈曲部２１２）が筐体２０ａの前板長孔９６の上部から突き出た状態である。また、アーム後端外側ダボ２０４およびアーム後端内側ダボ２０５は、回転支持部３２の内部で自由に移動することができる。
【００４６】
次に、第１および第２の振り子１３０ａ，１６０ａを筐体２０に取り付ける。具体的には次の通りである。まず、第１の振り子１３０ａを筐体２０ａの側板６０と背板１１０の外側端辺から突設された第１の振り子制動部１１２との間に形成される空間に収納する。次に、第２の振り子１６０ａを筐体２０ａの側板６０と背板１１０の外側端辺から突設された第２の振り子制動部１１４との間に形成される空間に収納する。このとき、第１の振り子前端部１３４の外側主面に第２の振り子前端部１６４の内側主面が宛がわれることにより、第１の振り子１３０ａと第２の振り子１６０ａの外側主面同士、および第１の振り子１３０ａと第２の振り子１６０ａの内側主面同士がそれぞれ同一平面となる。また、筐体２０ａの内側から外側（左側から右側）に向かう順に、筐体回転軸取付け孔８４、第１の回転軸挿通孔１３８および第２の回転軸挿通孔１６８が連なって一つの貫通孔を形成する。この貫通孔に回転軸１９０ａが取り付けられる。具体的には、筐体２０ａの外側から内側（右側から左側）に向けて回転軸１９０ａが（第２の回転軸挿通孔１６８および第１の回転軸挿通孔１３８を貫通し、筐体回転軸取付け孔８４の近傍まで至るように）挿通される。そして、回転軸１９０ａに形成された軸孔に回転軸１９０ａとは反対側から（すなわち、筐体回転軸取付け孔８４から）挿通されたタッピングビスがねじ込まれることにより、回転軸１９０ａが固定される。なお、回転軸１９０ａは、これとは他の態様であってもよい。例えば、筐体２０ａの筐体回転軸取付け孔８４から回転軸１９０ａとしてのボルトが挿通され、その反対側である第２の振り子１６０ａの右面（外面）の第２の回転軸挿通孔１６８の縁部に宛がわれたナットに螺合されることにより固定されるような回転軸１９０ａであってもよい。上記のように回転軸１９０ａが取り付けられることにより、第１および第２の振り子１３０ａ，１６０ａが前後方向と上下方向の交わる平面で回転できるように筐体２０に取り付けられる。最後に、第２の振り子１６０ａを右側面から見て左回転させ、第２の振り子前面１８４の上部をストッパー８０の後部に当接させる。これにより、第２の振り子１６０ａの重心は、回転軸１９０ａの前方且つ上方に位置する。そして、第２の振り子１６０ａは、右側面から見たとき、右回転において、第１の振り子１３０ａよりも後退した側から第１の振り子１３０ａに相対する。具体的には、第２の振り子１６０ａの後端部（第２の振り子背面中央部１７６、および第２の振り子背面中央部１７６の前端辺の内側から第２の振り子前端部１６４に沿って第２の振り子前面１８４まで延びる部分）が、第１の振り子上面１４６（第１の振り子１３０ａの前端部における回転軸１９０ａよりも上部）に離間して相対する。なお、上記のように筐体２０ａに取り付けられた第１の振り子１３０ａの重心は、回転軸１９０ａの後方且つ上方に位置する。
【００４７】
上記した棚Ｓ１０の開口側から見て右側の構成（筐体２０ａ、第１の振り子１３０ａ、第２の振り子１６０ａ、アーム２００ａおよびバネ部材２４０ａ）と同様に、左側の構成（筐体２０ｂ、第１の振り子１３０ｂ、第２の振り子１６０ｂ、アーム２００ｂおよびバネ部材２４０ｂ）も組み立てる。そして、次のように落下防止バー２５０を左右一対のアーム２００ａ，２００ｂに取り付ける。まず、落下防止バー２５０の軸孔２５８の右側からアーム２００ａの落下防止バー取付け部２１４を嵌合する。そして、アーム２００ａの落下防止バー取付け部２１４に穿設された落下防止バー取付け孔２１８と、落下防止バー２５０に穿設された長さ調節孔２５２とを上下方向に連ねたあと、これに螺子２６０ａを挿通することにより互いに固定する。また、落下防止バー２５０の軸孔２５８の左側からアーム２００ｂの落下防止バー取付け部２１４を嵌合し、右側のアーム２００ａと同様に螺子２６０ｂを用いて互いに固定する。このようにして、落下防止バー２５０を左右一対のアーム２００ａ，２００ｂそれぞれの前端部（アーム屈曲部２１２，２１２）に架設するように取り付ける。なお、このとき、棚Ｓ１０のサイズに合わせて落下防止装置１０の幅寸法（左右方向の寸法）を調節することができる。具体的には、アーム２００ａ（およびアーム２００ｂ）の落下防止バー取付け部２１４を落下防止バー２５０の軸孔２５８に深めに嵌合し、長さ調節孔２５２の内側部分とアーム２００ａ（およびアーム２００ｂ）の落下防止バー取付け孔２１８とを上下方向に連ねて互いに固定することにより、落下防止装置１０の幅寸法を短くすることができる。また、アーム２００ａ（およびアーム２００ｂ）の落下防止バー取付け部２１４を落下防止バー２５０の軸孔２５８に浅めに嵌合し、長さ調節孔２５２の外側部分とアーム２００ａ（およびアーム２００ｂ）の落下防止バー取付け孔２１８とを上下方向に連ねて互いに固定することにより、落下防止装置１０の幅寸法を長くすることができる。
【００４８】
次に、左右一対の筐体２０ａ，２０ｂそれぞれを棚板Ｓ１６の上面に取り付け固定する。具体的には、筐体２０ａの外側端面を棚板Ｓ１６の上面の右端辺に揃え、前板外側部９２における底板３０よりも下部の背面と底板３０の底面とにより形成される角部を、棚板Ｓ１６の前端面と上面とにより形成される角部に宛がう。このとき、筐体２０ａの底板３０の底面に両面テープの一方の面を予め貼り付けておき、両面テープの他方の面の剥離紙を剥がして棚板Ｓ１６の上面に貼り付けることにより、筐体２０ａを棚板Ｓ１６の上面に仮止めしてもよい。そして、筐体取付け孔５８，５８から螺子などの固定手段を挿通することにより、筐体２０ａを棚板Ｓ１６の上面に取り付け固定する。また、筐体２０ｂの外側端面を棚板Ｓ１６の上面の左側端辺に揃え、上記と同様に取り付け固定する。
【００４９】
最後に、落下防止装置１０を手動で作動状態から初期状態に切り替える。具体的には次の通りである。まず、落下防止バー２５０を把持し、バネ部材２４０ａ，２４０ｂの付勢力に抗って下方に移動させることにより、アーム前方内側ダボ２０７と第２の被係合部７２との係合を外したあと、アーム前方内側ダボ２０７の底面を第１の被係合部６２の後端部（第１の鉤状部６６）の上端面に当接させる。次に、落下防止バー２５０を前方に引きながらさらに下方に移動させることにより、アーム前方内側ダボ２０７の底面を第１の前後方向ガイド部６６の上面に当接させる。そして、落下防止バー２５０を、バネ部材２４０ａ，２４０ｂの付勢力の後方成分を利用しながら軽く後方に押すことにより、アーム前方内側ダボ２０７を第１の被係合部６２（の第１の鉤状部６６）に係合させる。このようにして落下防止装置１０を初期状態にする。なお、上記したのとは他の手順により落下防止装置１０を棚Ｓ１０に取り付けてもよい。例えば、筐体２０ａ（筐体２０ｂ）にまず第１および第２の振り子１３０ａ，１６０ａ（第１および第２の振り子１３０ｂ，１６０ｂ）を取り付けてから、次にアーム２００ａ（アーム２００ｂ）を取り付けてもよい。
【００５０】
（落下防止装置１０の動作態様）
つづいて、落下防止装置１０の動作態様について説明する。なお、棚Ｓ１０の開口側から見て右側の構成（筐体２０ａ、第１の振り子１３０ａ、第２の振り子１６０ａ、アーム２００ａおよびバネ部材２４０ａ）と、左側の構成（筐体２０ｂ、第１の振り子１３０ｂ、第２の振り子１６０ｂ、アーム２００ｂおよびバネ部材２４０ｂ）とは同じ態様で動作する。したがって、ここでは特に必要な場合を除いて右側の構成の動作についてのみ説明し、左側の同様となる説明は繰り返さない。図１３は、この発明の一実施の形態に係る落下防止装置の初期状態を示す図であり、（Ａ）が右側面図、（Ｂ）が前方への押力と付勢力の後方成分との関係を示す図である。図１４は、この発明の一実施の形態に係る落下防止装置の作動状態を示す図であり、（Ａ）が右側面図、（Ｂ）が前方への押力と付勢力の後方成分との関係を示す図である。なお、図１３，１４では、落下防止装置１０の内部構造を示すため、落下防止装置１０が取り付けられる棚Ｓ１０のうち紙面手前側に位置する側板Ｓ１２を除いた状態で記載している。
【００５１】
この実施の形態に係る落下防止装置１０は、第１の振り子前端部１３４に回転軸１９０ａが挿通されるため、第１の振り子１３０ａの重心が回転軸１９０ａよりも後方（第１の振り子本体１３２の内部）に位置する。したがって、第１の振り子１３０ａは、回転軸１９０ａを中心に右側面から見て右回転（第１の回転運動）しようとする。これにより、第１の振り子前面下部１５２（回転軸１９０ａよりも下方においてアーム２００ａの後端部に当接する前端部）が、回転支持部３２の内部に位置するアーム２００ａの後端部に当接して前方への押力（ＦW）を伝える。ここで、アーム２００ａは、バネ部材２４０ａの付勢力（ＦS）により付勢されている。この付勢力（ＦS）は、後方成分（ＦS1）と上方成分（ＦS2）に分解することができる。したがって、第１の振り子１３０ａによる前方への押力（ＦW）は、付勢力の後方成分（ＦS1）に抗って、アーム２００ａの後端を前方へと押すことになる。そして、第１の振り子１３０ａによる前方への押力（ＦW）は、初期状態において、バネ部材２４０ａの付勢力の後方成分（ＦS1）よりも小さい（ＦW＜ＦS1）。したがって、第１の振り子１３０ａは、アーム２００ａの後端部に当接することによりその第１の回転運動を停止させられた状態である。また、アーム２００ａは、バネ部材２４０ａの付勢力の上方成分（ＦS2）に付勢され、その後端部を中心に前後方向と上下方向の交わる平面で右側面から見て右回転しようとする。すなわち、アーム２００ａは、バネ部材２００ａに付勢され、その前端部（アーム屈曲部２１２）を上方に移動させるように回転しようとする。しかしながら、アーム前方内側ダボ２０７が第１の被係合部６２（の第１の鉤上部６６）に係合しているため、アーム２００ａは回転せず、その前端部（アーム屈曲部２１２）が下方に位置した状態（すなわち、落下防止装置１０の初期状態）が維持される。
【００５２】
この実施の形態に係る落下防止装置１０は、第２の振り子前端部１６４の下部にも回転軸１９０ａが挿通され、且つ第２の振り子１６０ａの前端部（第２の振り子前面１８４の上部）が回転軸１９０ａの前方に位置するストッパー８０の後部に当接した状態である。すなわち、第２の振り子１６０ａの重心が回転軸１９０ａよりも前方（第２の振り子本体１６２の内部）に位置するため、第２の振り子１６０ａは回転軸１９０ａを中心に右側面から見て左回転しようとするが、ストッパー８０にその左回転を停止させられた状態である。そして、このとき、第２の振り子１６０ａの後端部が、第１の振り子上面１４６に離間して相対した状態である。
【００５３】
そして、この実施の形態に係る落下防止装置１０は、地震などの震動が発生した際、第１の振り子１３０ａが、前方への押力（ＦW）をバネ部材２４０ａの付勢力の後方成分（ＦS1）よりも大きくする（ＦW＞ＦS1）ように回転軸１９０ａを中心に右側面から見て右回転（第１の回転運動）する。これにより、第１の振り子１３０ａは、アーム２００ａを前方へと移動させる。具体的には次の通りである。
【００５４】
落下防止装置１０は、上方向、下方向、前方向または後方向の震動が発生した際、それぞれにおいて、以下の態様で動作する。
【００５５】
下から突き上げるような（上方向の）震動が発生した際は、慣性により第１の振り子１３０ａが下方に留まろうとする。このとき、第１の振り子１３０ａは、その重心が回転軸１９０ａよりも後方且つ上方に位置するため、右側面から見て右回転（第１の回転運動）しようとする。これにより、第１の振り子１３０ａによる前方への押力（ＦW）が大きくなる。
【００５６】
上方向の震動が発生した際は、第１の振り子１３０ａと同様に、第２の振り子１６０ａも下方に留まろうとする。このとき、第２の振り子１６０ａは、その重心が回転軸１９０ａよりも前方に位置するため、右側面から見て左回転しようとする。しかしながら、第２の振り子１６０ａは、左回転すると、その前端部（第２の振り子前面１８４の上部）がストッパー８０に突き当たることにより跳ね返るため、右回転（第２の回転運動）することになる。すると、第２の振り子１６０ａの後端部が、離間して相対していた第１の振り子１３０ａの第１の振り子上面１４６に衝突する。このような衝突は、第１の振り子１３０ａを右回転（第１の回転運動）させるように作用する。したがって、この衝突によっても、第１の振り子１３０ａによる前方への押力（ＦW）が大きくなる。
【００５７】
上方向の震動が発生した際は、上記のようにして、第１の振り子１３０ａによる前方への押力（ＦW）がバネ部材２４０ａの付勢力の後方成分（ＦS1）よりも大きくなる（ＦW＞ＦS1）。
【００５８】
下方向の震動が発生した際は、慣性により第１の振り子１３０ａが上方に留まろうとする。このとき、第１の振り子１３０ａは、右側面から見て左回転しようとする。しかしながら、第１の振り子１３０ａは、左回転すると、その第１の振り子上面１４６が、離間して相対していた第２の振り子１６０ａの後端部に衝突することにより跳ね返るため、右回転（第１の回転運動）することになる。これにより、第１の振り子１３０ａによる前方への押力（ＦW）が大きくなる。
【００５９】
下方の震動が発生した際は、第１の振り子１３０ａと同様に、第２の振り子１６０ａも上方に留まろうとする。このとき、第２の振り子１６０ａは、右側面から見て右回転する。すると、第２の振り子１６０ａの後端部が、離間して相対していた第１の振り子上面１４６に衝突する。このような衝突は、第１の振り子１３０ａを右回転（第１の回転運動）させるように作用する。したがって、この衝突によっても、第１の振り子１３０ａによる前方への押力（ＦW）が大きくなる。
【００６０】
下方向の震動が発生した際は、上記のようにして、第１の振り子１３０ａによる前方への押力（ＦW）がバネ部材２４０ａの付勢力の後方成分（ＦS1）よりも大きくなる（ＦW＞ＦS1）。
【００６１】
前方向の震動が発生した際は、慣性により第１の振り子１３０ａが後方に留まろうとする。このとき、第１の振り子１３０ａは、その重心が回転軸１９０ａよりも後方且つ上方に位置するため、右側面から見て右回転（第１の回転運動）しようとする。これにより、第１の振り子１３０ａによる前方への押力（ＦW）が大きくなる。
【００６２】
前方向の震動が発生した際は、第１の振り子１３０ａと同様に、第２の振り子１６０ａも後方に留まろうとする。このとき、第２の振り子１６０ａは、その重心が回転軸１９０ａよりも前方且つ上方に位置するため、右側面から見て右回転する。すると、第２の振り子１６０ａの後端部が、離間して相対していた第１の振り子上面１４６に衝突する。このような衝突は、第１の振り子１３０ａを右回転（第１の回転運動）させるように作用する。したがって、この衝突によっても、第１の振り子１３０ａによる前方への押力（ＦW）が大きくなる。
【００６３】
前方向の震動が発生した際は、上記のようにして、第１の振り子１３０ａによる前方への押力（ＦW）がバネ部材２４０ａの付勢力の後方成分（ＦS1）よりも大きくなる（ＦW＞ＦS1）。
【００６４】
後方向の震動が発生した際は、慣性により第１の振り子１３０ａが前方に留まろうとする。このとき、第１の振り子１３０ａは、その重心が回転軸１９０ａよりも後方且つ上方に位置するため、右側面から見て左回転しようとする。しかしながら、第１の振り子１３０ａは、その第１の振り子上面１４６が、離間して相対していた第２の振り子１６０ａの後端部に衝突することにより跳ね返るため、右回転（第１の回転運動）することになる。これにより、第１の振り子１３０ａによる前方への押力（ＦW）が大きくなる。
【００６５】
後方向の震動が発生した際は、第１の振り子１３０ａと同様に、第２の振り子１６０ａも前方に留まろうとする。このとき、第２の振り子１６０ａは、その重心が回転軸１９０ａよりも前方且つ上方に位置するため、右側面から見て左回転しようとする。しかしながら、第２の振り子１６０ａは、左回転すると、その前端部（第２の振り子前面１８４の上部）がストッパー８０に突き当たることにより跳ね返るため、右回転（第２の回転運動）することになる。すると、第２の振り子１６０ａの後端部が、離間して相対していた第１の振り子上面１４６に衝突する。このような衝突は、第１の振り子１３０ａを右回転（第１の回転運動）させるように作用する。したがって、この衝突によっても、第１の振り子１３０ａによる前方への押力（ＦW）が大きくなる。
【００６６】
後方向の震動が発生した際は、上記のようにして、第１の振り子１３０ａによる前方への押力（ＦW）がバネ部材２４０ａの付勢力の後方成分（ＦS1）よりも大きくなる（ＦW＞ＦS1）。
【００６７】
図１５は、この発明の一実施の形態に係る落下防止装置の初期状態を右側面から見たときの部分断面図である。図１６は、この発明の一実施の形態に係る落下防止装置のアーム前方ダボと第１の被係合部の係合が外れようとしている状態を右側面から見たときの部分断面図である。図１７は、この発明の一実施の形態に係る落下防止装置の作動状態を右側面から見たときの部分断面図である。なお、図１５〜１７では、見た目の煩雑さを避けるため、第１の振り子１３０ａ、第２の振り子１６０ａおよび回転軸１９０ａに関しては破断しない状態（右側面図）を記載している。
【００６８】
上記のように、第１の振り子前面下部１５２の前方への押力（ＦW）がバネ部材２４０ａの付勢力の後方成分（ＦS1）よりも大きくなると（ＦW＞ＦS1）、アーム２００ａが第１の振り子１３０ａに押し出されて前方に移動する。アーム２００ａが前方に移動すると、アーム前方内側ダボ２０７と第１の被係合部６２（の第１の鉤状部６６）との係合が外れるため、アーム２００ａがバネ部材２４０ａによる付勢力の上方成分（ＦS2）に付勢され、その後端部を中心に前後方向と上下方向の交わる平面で右回転する。そして、アーム前方内側ダボ２０７は、上下方向ガイド部７４の前面と、第２の前後方向ガイド部７６の底面との接続部に到達することにより、第２の被係合部７２に係合する。以上のようにして、この実施の形態に係る落下防止装置１０は、初期状態から作動状態に自動的に切り替わる。
【００６９】
なお、上記のように初期状態から作動状態に切り替わるとき、アーム後端外側ダボ２０４およびアーム後端内側ダボ２０５が、回転支持部３２の内面における第１の振り子前端挿通部５２の左右方向の縁部に沿って、支持天部３６と支持背上部４２の接続部辺りから支持背上部４２と支持背下部４４の接続部辺りまでを摺動する。なお、アーム後端外側ダボ２０４およびアーム後端内側ダボ２０５は、作動状態のとき、バネ部材２４０ａの付勢力により支持背上部４２と支持背下部４４の接続部辺りの内面から離間した状態になる。
【００７０】
また、第１の振り子１３０ａは、その後端部（第１の振り子背面平坦部１４４）が筐体２０ａの背板１１０に当接することにより第１の回転運動を停止する。同様に、第２の振り子１６０ａは、その後端部（第２の振り子背面上部１７８）が筐体２０の背板１１０に当接することにより第２の回転運動を停止する。このとき、第１の振り子１３０ａの後端部と、第２の振り子１６０ａの後端部とは、上下方向に連なって直線状になる。
【００７１】
（効果）
この実施の形態に係る落下防止装置１０が備える第１の振り子１３０ａ（１３０ｂ）は、回転軸１９０ａ（１９０ｂ）よりも後方に位置する重心と、回転軸１９０ａ（１９０ｂ）よりも下方においてアーム２００ａ（２００ｂ）の後端部に当接する前端部とを有することにより、アーム２００ａ（２００ｂ）の後端部に前方への押力（ＦW）を伝える。第１の振り子１３０ａ（１３０ｂ）による前方への押力（ＦW）は、初期状態において、バネ部材２４０ａ（２４０ｂ）による付勢力の後方成分（ＦS1）よりも小さい（ＦW＜ＦS1）。したがって、第１の振り子１３０ａ（１３０ｂ）は、初期状態において、第１の回転運動をアーム２００ａ（２００ｂ）により停止させられた状態である。そして、第１の振り子１３０ａ（１３０ｂ）は、地震などの震動が発生した際、その前方への押力（ＦW）が付勢力の後方成分（ＦS1）よりも大きくなる（ＦW＞ＦS1）ように第１の回転運動することで、アーム２００ａ（２００ｂ）を略前方へと移動させる。これにより、アーム前方内側ダボ２０７と、第１の被係合部６２との係合が外れる。すると、アーム２００ａ（２００ｂ）が付勢力の上方成分（ＦS2）に付勢されてその前端部（アーム屈曲部２１２）が上方へと移動するように回転し、作動状態に切り替わる。この発明に係る落下防止装置１０は、上記のように動作する第１の振り子１３０ａ（１３０ｂ）やその他の構成を備えることにより、感度よく作動状態に切り替わることができる。以上の通りであるため、この実施の形態に係る落下防止装置１０は、あらゆる方向の震動に対して十分な感度を有する。
【００７２】
さらに、この実施の形態に係る落下防止装置１０は、第１の振り子１３０ａ（１３０ｂ）の前端部における回転軸１９０ａ（１９０ｂ）よりも上部（第１の振り子上面１４６）に離間して相対する後端部を有する第２の振り子１６０ａ（１６０ｂ）を備える。第２の振り子１６０ａ（１６０ｂ）は、震動が発生した際、その後端部が、第１の振り子１３０ａ（１３０ｂ）の前端部に衝突するように右側面から見て右回転（第２の回転運動）する。このような衝突は、第１の振り子１３０ａ（１３０ｂ）を右回転（第１の回転運動）させるように作用する。したがって、この衝突によっても、第１の振り子１３０ａ（１３０ｂ）による前方への押力（ＦW）が大きくなる。なお、この実施の形態に係る落下防止装置１０は、往復震動が発生すると、第２の振り子１６０ａ（１６０ｂ）の第２の回転運動が往復を繰り返す度に積み重なるように大きくなり、第１の振り子１３０ａ（１３０ｂ）に激しく衝突する。以上の通りであるため、第１の振り子１３０ａ（１３０ｂ）は、第２の振り子１６０ａ（１６０ｂ）により、前方への押力（ＦW）がバネ部材２４０ａ（２４０ｂ）の付勢力の後方成分（ＦS1）よりも大きくなる（ＦW＞ＦS1）ように第１の回転運動することをより効率良く確実に行うことができる。
【００７３】
さらに、この実施の形態に係る落下防止装置１０は、第２の振り子１６０ａ（１６０ｂ）の重心が通常時において回転軸１９０ａ（１９０ｂ）よりも前方且つ上方に位置する。これにより、第２の振り子１６０ａ（１６０ｂ）は、前方向および下方向の震動（慣性により後方および上方に留まろうとする震動）が発生した際、右側面から見て右回転（第２の回転運動）する。これは、第１の振り子１３０ａ（１３０ｂ）が、前方向および下方向の震動が発生することにより左回転（前方への押力（ＦW）が小さくなる回転）するのとは逆向きの回転である。これにより、第１の振り子１３０ａ（１３０ｂ）は、押力（ＦW）がバネ部材２４０ａ（２４０ｂ）の付勢力の後方成分（ＦS1）よりも大きくなる（ＦW＞ＦS1）ように第１の回転運動することをより確実に行うことができる。
【００７４】
さらに、この実施の形態に係る落下防止装置１０は、第２の振り子１６０ａ（１６０ｂ）の重量が第１の振り子１３０ａ（１３０ｂ）の重量よりも大きいため、第２の振り子１６０ａ（１６０ｂ）が第２の回転運動をしてその後端部が第１の振り子１３０ａ（１３０ｂ）の前端部に衝突した際、第１の振り子１３０ａ（１３０ｂ）は押力（ＦW）がバネ部材２４０ａ（２４０ｂ）の付勢力の後方成分（ＦS1）よりも大きくなる（ＦW＞ＦS1）ように第１の回転運動することをより効率良く確実に行うことができる。
【００７５】
さらに、この実施の形態に係る落下防止装置１０は、第２の振り子１６０ａ（１６０ｂ）が第１の振り子１３０ａ（１３０ｂ）から離間する方向に第２の回転運動することを防止するためのストッパー８０を含む。これにより、第２の振り子１６０ａ（１６０ｂ）は、後方向および上方向の震動（慣性により前方および下方に留まろうとする震動）が発生した際に、右側面から見て左回転しようとするが、その前端部（第２の振り子前面１８４）がストッパー８０に突き当たることにより跳ね返るため、右回転（第２の回転運動）することになる。その結果、第１の振り子１３０ａ（１３０ｂ）は、前方への押力（ＦW）がバネ部材２４０ａ（２４０ｂ）による付勢力の後方成分（ＦS1）よりも大きくなる（ＦW＞ＦS1）ように第１の回転運動することをより効率良く確実に行うことができる。また、ストッパー８０が第２の振り子１６０ａ（１６０ｂ）とバネ部材２４０ａ（２４０ｂ）の間に位置するため、第２の振り子１６０ａ（１６０ｂ）がバネ部材２４０ａ（２４０ｂ）やその他の部材（アーム２００ａ（２００ｂ）、および筐体２０ａ（２０ｂ）の底板３０など）に当接してしまうことを防止することができる。
【００７６】
さらに、この実施の形態に係る落下防止装置１０は、第１の振り子１３０ａ（１３０ｂ）の第１の回転軸と、第２の振り子１６０ａ（１６０ｂ）の第２の回転軸とがともに回転軸１９０ａ（１９０ｂ）であり同軸である。これにより、第２の振り子１６０ａ（１６０ｂ）の後端部が、第１の振り子１３０ａ（１３０ｂ）の第１の振り子上面１４６に効率良く確実に衝突する。さらに、落下防止装置１０の部品点数を少なくすることができ、且つサイズを小さくすることができる。
【００７７】
さらに、この実施の形態に係る落下防止装置１０は、回転軸１９０ａ（１９０ｂ）が、アーム２００ａ，２００ｂの後端部の近傍に位置する。これにより、第１の振り子１３０ａ（１３０ｂ）が、前方への押力（ＦW）がバネ部材２４０ａ（２４０ｂ）による付勢力の後方成分（ＦS1）よりも大きくなる（ＦW＞ＦS1）ように第１の回転運動することをより効率良く行うことができる。また、落下防止装置１０のサイズを小さくすることができる。
【００７８】
さらに、この実施の形態に係る落下防止装置１０は、第１の振り子１３０ａ（１３０ｂ）が、その後端部（第１の振り子背面平坦部１４４）を筐体２０ａ（２０ｂ）の背板１１０に当接させることにより第１の回転運動を停止するため、部品点数を少なくすることができ、且つサイズを小さくすることができる。また、第１の振り子１３０ａ（１３０ｂ）の後端部が上下方向に直線状に延びた状態で筐体２０ａ（２０ｂ）の背板１１０に当接するため、美観を起こさせることもできる。
【００７９】
さらに、この実施の形態に係る落下防止装置１０は、第２の振り子１６０ａ（１６０ｂ）が、その後端部（第２の振り子背面上部１７８）を筐体２０ａ（２０ｂ）の背板１１０に当接させることにより第２の回転運動を停止するため、部品点数を少なくすることができ、且つサイズを小さくすることができる。また、第１の振り子１３０ａ（１３０ｂ）の後端部が上下方向に直線状に延びた状態で筐体２０ａ（２０ｂ）の背板１１０に当接するため、美観を起こさせることもできる。
【００８０】
さらに、この実施の形態に係る落下防止装置１０の備える第１の被係合部６２は、第１の前後方向ガイド部６４と、第１の鉤状部６６とを含む。第１の前後方向ガイド部６４は、その上面にアーム前方内側ダボ２０７を当接させて略後方に摺動させることができる。これにより、アーム前方内側ダボ２０７が第１の鉤状部６６へと容易に導かれる。したがって、落下防止装置１０を手動で容易に初期状態に切り替えることができる。また、第１の鉤状部６６を設けることにより、バネ部材２４０ａ（２４０ｂ）の付勢力（ＦS）により略後方および略上方に付勢されるアーム２００ａ（２００ｂ）が、第１の被係合部６２に係合された状態（初期状態）を維持することができる。さらに、第１の被係合部６２が筐体２０ａ（２０ｂ）の側板６０の内面から突設されることにより、落下防止装置１０は、部品点数を少なくすることができ、且つサイズを小さくすることができる。
【００８１】
さらに、この実施の形態に係る落下防止装置１０の備える第２の被係合部７２は、上下方向ガイド部７４と、第２の前後方向ガイド部７６と、第２の鉤状部７８とを含む。上下方向ガイド部７４は、その前面にアーム前方内側ダボ２０７を当接させて略上方に摺動させることができる。したがって、地震などの震動が発生した際、落下防止装置１０を確実に作動状態に切り替えることができる。さらに、落下防止装置１０を手動により作動状態に切り替えたい場合も容易に行うことができる。また、第２の前後方向ガイド部７６は、その底面にアーム前方内側ダボ２０７が当接することによりアーム２００ａ（２００ｂ）の上方への移動を規制し、上下方向ガイド部７４とともに、アーム２００ａ（２００ｂ）が第２の被係合部７２に係合した状態（作動状態）を維持する。そして、第２の鉤状部７８は、アーム２００ａ（２００ｂ）の略前方（および略下方）への移動を規制することができる。第２の鉤状部７８は、特に、棚Ｓ１０に収納された物品Ｍが震動により略前方に移動して落下防止バー２５０に衝突した場合に有効に作用する。すなわち、物品Ｍの衝突により落下防止バー２５０が略前方に移動することに伴って、落下防止バー２５０に取り付けられたアーム２００ａ（２００ｂ）も略前方に移動するが、このとき、アーム前方内側ダボ２０７が第２の鉤状部７８に入り込む。これにより、アーム前方内側ダボ２０７と第２の被係合部７２との係合が外れることを防止することができ、アーム２００ａ（２００ｂ）（および落下防止バー２５０）の略前方および略下方への移動を規制することができる。さらに、第２の被係合部７２が筐体２０ａ（２０ｂ）の側板６０の内面から突設されることにより、落下防止装置１０は、部品点数を少なくすることができ、且つサイズを小さくすることができる。
【００８２】
さらに、この実施の形態に係る落下防止装置１０の備える筐体２０ａ（２０ｂ）の回転支持部３２は、中空の形状を有するため、アーム２００ａ（２００ｂ）の後端部が回転支持部３２の内部で自由に移動することができる。これにより、アーム２００ａ（２００ｂ）を略前後方向に移動させることができるため、アーム前方内側ダボ２０７を、第１の被係合部６２（の第１の鉤状部６６）や第２の被係合部７２（の第２の鉤状部７８）に係合させたり、係合を外したりすることが可能となる。さらに、物品Ｍが落下防止バー２５０に衝突した場合、落下防止バー２５０が略前方に移動できるため、物品Ｍによる衝撃を緩和することができる。なお、落下防止バー２５０（およびアーム２００ａ（２００ｂ））がこのように略前方に移動した場合、アーム前方内側ダボ２０７が第２の鉤状部７８に入り込む。これにより、アーム前方内側ダボ２０７と第２の被係合部７２との係合が外れることを防止できる。
【００８３】
また、この実施の形態に係る落下防止装置１０の備える回転支持部３２は、略前後方向に延びる支持天部３６と、支持天部３６の後端から屈曲して緩やかに下方へと傾斜しながら略前方に延びる支持背上部４２とを有する。そして、アーム後端外側ダボ２０４およびアーム後端内側ダボ２０５が、初期状態のとき、回転支持部３２の後方深くまで嵌り込み、支持天部３６と支持背上部４２の接続部の内面に当接する。これにより、落下防止装置１０の初期状態が安定する。さらに、落下防止装置１０が初期状態から作動状態に切り替わるとき、アーム後端外側ダボ２０４およびアーム後端内側ダボ２０５が、支持背上部４２の内面を前方に向けて摺動する。これにより、落下防止装置１０は、スムーズに初期状態から作動状態に切り替わることができる。なお、手動により作動状態から初期状態に切り替えるときも、同様の理由によりスムーズに行うことができる。
【００８４】
さらに、この実施の形態に係る落下防止装置１０の備える筐体２０ａ（２０ｂ）の天板１２０の内面（底面）には、バネ一方端取付け部１２２（付勢手段取付け部）が突設され、バネ一方端取付け部１２２は、略前後方向に並んで穿設された複数のバネ一方端取付け孔１２４（付勢手段取付け孔）を含む。複数のバネ一方端取付け孔１２４により、バネ部材２４０ａ（２４０ｂ）の付勢力を調整することができる。具体的には、複数のうち前方に位置するバネ一方端取付け孔１２４にバネ一方端部２４４を取り付けることにより、バネ部材２４０ａ（２４０ｂ）による付勢力の後方成分（ＦS1）を小さくすることができる。これにより、第１の振り子１３０ａ（１３０ｂ）が第１の回転運動をし易くなるため、落下防止装置１０の震動に対する感度を上げることができる。一方、複数のうち後方に位置するバネ一方端取付け孔１２４にバネ一方端部２４４を取り付けることにより、バネ部材２４０ａ（２４０ｂ）による付勢力の後方成分（ＦS1）を大きくすることができる。これにより、第１の振り子１３０ａ（１３０ｂ）が第１の回転運動をし難くなるため、落下防止装置１０の震動に対する感度を下げることができる。
【００８５】
さらに、この実施の形態に係る落下防止装置１０の備えるアーム２００ａ（２００ｂ）には、それぞれ、側面視したとき上半分のみの略半円形状であるアーム前方内側ダボ２０７が突設される。ここで、落下防止装置１０を作動状態から初期状態に手動で切り替えるとき、アーム２００ａ（２００ｂ）を下方に移動させていくと、アーム前方内側ダボ２０７の底面が、第１の被係合部６２の先端に位置する第１の鉤状部６６の上端面に当接する。このとき、上記したような形状を有するアーム前方内側ダボ２０７は、その底面が、第１の鉤状部６６の上端面に互いに面同士で当接する。したがって、このときの状態が、仮にアーム前方内側ダボ２０７が略円柱形状（側面視略円形状）である場合と比較して安定する。これにより、この状態になったことを確認してから、落下防止バー２５０を手前に引き、付勢力の後方成分（ＦW2）を利用して軽く後方に押すことにより作動状態に切り替えることができる。したがって、落下防止装置１０を作動状態から初期状態に切り替えることを容易に行うことができる。
【００８６】
また、上記したような構造は、例えば、落下防止装置１０の作動状態を一時的に解除して棚Ｓ１０に収納された物品Ｍの展覧および出し入れを行い、その後すぐに作動状態に戻したい場合などに有効である。すなわち、アーム２００ａ（２００ｂ）が安定した状態で、且つより下方に位置した状態で、第１の鉤状部６６の上端面に仮置きされるため、棚Ｓ１０に収納された物品Ｍの展覧および出し入れを容易に行うことができる。なお、このようにアーム２００ａ（２００ｂ）を第１の鉤状部６６の上端面に仮置きしたとき、アーム後端外側ダボ２０４およびアーム後端内側ダボ２０５の後端部が、回転支持部３２の後方深くまで嵌り込み、支持天部３６と支持背上部４２の接続部の内面に当接することが好ましい。これにより、仮置きした状態がより安定する。
【００８７】
なお、落下防止装置１０は、作動状態を一時的に解除して棚Ｓ１０に収納された物品Ｍの展覧および出し入れを行い、その後すぐに作動状態に戻したい場合において、例えば、アーム突部２１０にダンパーを取り付けることにより、この作業を容易に行えるようにしてもよい。具体的には、ダンパーは、その前部にその長さ方向に沿って延びる長孔を有し、その長孔にアーム突部２１０を摺動可能な状態で取り付ける。そして、ダンパーは、その後端部を中心として前後方向と上下方向の交わる平面で回転できるように筐体２０ａ（２０ｂ）に取り付けられる。このようなダンパーを設けることにより、落下防止バー２５０を把持して下方に位置させている状態からそのまま手を離したとき、落下防止バー２５０が緩やかに上方に移動するため、作動状態に切り替わるときに生じ得る衝撃音などを緩和することができる。これにより、落下防止装置１０の耐久性を高めることもできる。
【００８８】
（変形例１〜４）
つづいて、この発明の一実施の形態に係る落下防止装置１０の変形例１〜４について、図１８〜２４を参照して説明する。なお、変形例１〜４は、第１の振り子１３０ａ（１３０ｂ）および第２の振り子１６０ａ（１６０ｂ）を除いた構成が、上記した一実施の形態に係る落下防止装置１０と同様である。したがって、同一部分には同じ参照番号を付し、同様となる説明は繰り返さない。
【００８９】
図１８は、この発明の一実施の形態に係る落下防止装置の変形例１を示す右側面図であり、（Ａ）が初期状態、（Ｂ）が作動状態である。変形例１は、上記した一実施の形態に係る落下防止装置１０の備える第１の振り子１３０ａと第２の振り子１６０ａ（第１の振り子１３０ｂと第２の振り子１６０ｂ）が一体的に形成される。これにより、変形例１は、部品点数の少ない簡単な構造となる。
【００９０】
図１９は、この発明の一実施の形態に係る落下防止装置の変形例２を示す右側面図であり、（Ａ）が初期状態、（Ｂ）が作動状態である。変形例２は、第１の振り子１３０ａ（１３０ｂ）を備えるが、第２の振り子１６０ａ（１６０ｂ）を備えない。これにより、変形例２は、部品点数の少ない簡単な構造となる。なお、変形例２では、ストッパー８０が、初期状態において第１の振り子１３０ａ（１３０ｂ）の前端部の近傍に位置することが好ましい。
【００９１】
図２０は、この発明の一実施の形態に係る落下防止装置の変形例３が備える左右一対の第１の振り子を示す斜視図である。図２１は、この発明の一実施の形態に係る落下防止装置の変形例３が備える左右一対の第２の振り子を示す斜視図である。図２２は、この発明の一実施の形態に係る落下防止装置の変形例３が備える左右一対の第１の振り子に第２の振り子を宛がった様子を示す斜視図である。変形例３は、右側の筐体２０ａに配置される第１の振り子１３０ａと、左側の筐体２０ｂに配置される第１の振り子１３０ｂとが全く同じ形状である。そして、第１の振り子１３０ａ，１３０ｂは、それぞれ単独で、左右方向において対称的な形状を有する。同様に、右側の筐体２０ａに配置される第２の振り子１６０ａと、左側の筐体２０ｂに配置される第２の振り子１６０ｂとが全く同じ形状である。そして、第２の振り子１６０ａ，１６０ｂは、それぞれ単独で、左右方向において対称的な形状を有する。これにより、変形例３は、第１の振り子１３０ａ，１３０ｂおよび第２の振り子１６０ａ，１６０ｂの量産が容易となるため、製造コストの低減を図ることができる。さらに、左右一対の部材を取り違えることがないため、落下防止装置１０の組立てが容易となる。
【００９２】
図２３は、この発明の一実施の形態に係る落下防止装置の変形例４を示す右側面図であり、（Ａ）が初期状態、（Ｂ）が作動状態である。図２４は、この発明の一実施の形態に係る落下防止装置の変形例４を示す図であり、第２の振り子が左回転することにより作動状態に切り替わったときの右側面図である。
【００９３】
上記した一実施の形態に係る落下防止装置１０および変形例１〜３は、第１の振り子１３０ａ（１３０ｂ）の第１の回転軸と、第２の振り子１６０ａ（１６０ｂ）の第２の回転軸とがともに回転軸１９０ａ（１９０ｂ）であり同軸であった。一方、この変形例４は、第１の振り子１３０ａ（１３０ｂ）と、第２の振り子１６０ａ（１６０ｂ）とがそれぞれ別々の回転軸を有する。具体的には、第１の振り子１３０ａ（１３０ｂ）が第１の回転軸１９２ａ（１９２ｂ（図示せず））を有し、第２の振り子１６０ａ（１６０ｂ）が第２の回転軸１９４ａ（１９４ｂ（図示せず））を有する。なお、上記した一実施の形態および変形例１〜３と同様に、この変形例４の落下防止装置１０も落下防止バー２５０の長さ方向（左右方向）の中央部における前後方向と上下方向が交わる平面に関して面対称である。したがって、以下の説明では特に必要な場合を除き、棚Ｓ１０の開口側から見て右側の構成（第１および第２の振り子１３０ａ，１６０ａなど）についてのみ説明し、左側（第１および第２の振り子１３０ｂ，１６０ｂなど）の同様となる説明は繰り返さない。
【００９４】
変形例４の第１の振り子１３０ａの重心は、第１の回転軸１９２ａよりも後方に位置する。また、変形例４の第２の振り子１６０ａの重心は、第２の回転軸１９４ａよりも前方且つ上方に位置する。なお、第２の振り子１６０ａは、図２３（Ａ）に示すように、初期状態において、ストッパー８０と離間して配設される。
【００９５】
変形例４の第１の振り子１３０ａは、図２３（Ａ）に示すように、初期状態において、第１の回転軸１９２ａの上端部に沿うように略前後方向に延びる第１の振り子前後延在端面３３２と、第１の振り子前後延在端面３３２の後端辺から立ち上がり、略上方に延びる第１の振り子上下延在端面３３４と、第１の振り子上下延在端面３３４の上端辺から後方に屈曲して傾斜しながら略上方に延びる第１の振り子傾斜端面３３６とを含む。また、変形例４の第２の振り子１６０ａは、初期状態において、第２の回転軸１９４ａの下部に位置し、略前後方向に延びる第２の振り子前後延在端面３６２と、第２の振り子前後延在端面の後端辺から立ち上がり、略上方に延びる第２の振り子上下延在端面３６４（第１の振り子１３０ａの前端部における第１の回転軸１９２ａよりも上部に当接する部分）と、第２の振り子上下延在端面３６４の上端辺から後方に屈曲して傾斜しながら略上方に延びる第２の振り子傾斜端面３６６とを含む。
【００９６】
なお、第１の振り子上下延在端面３３４の上下方向の寸法と、第２の振り子上下延在端面３６４の上下方向の寸法はほぼ同じであり、初期状態において互いの全面同士が当接し合う。そして、第２の振り子傾斜端面３６６は、第１の振り子傾斜端面３３６よりも急な勾配で傾斜する。したがって、第２の振り子傾斜端面３６６は、初期状態において、第１の振り子傾斜端面３３６と離間して相対する。
【００９７】
変形例４の第２の振り子１６０ａは、その重心が第２の回転軸１９４ａよりも前方かつ上方に位置するため、右側面から見て左回転しようとする。これにより、変形例４の第２の振り子１６０ａ（の第２の振り子上下延在端面３６４）は、第１の振り子１３０ａ（の第１の振り子上下延在端面３３４）を右側面から見て右回転させるように押す。すなわち、第２の振り子１６０ａによるこの押力は、第１の振り子１３０ａがアーム２００ａの後端部を押す前方への押力（ＦW）を大きくするように作用する。しかしながら、第１の振り子１３０ａによる前方への押力（ＦW）は、初期状態において、バネ部材２４０ａの付勢力の後方成分（ＦS1）よりも小さい（ＦW＜ＦS1）。したがって、第１の振り子１３０ａは、初期状態において、アーム２００ａに左回転することを停止させられた状態である。そして、第２の振り子１６０ａも、初期状態において、第１の振り子１３０ａを介して、アーム２００ａに左回転することを停止させられた状態である。
【００９８】
変形例４の第２の振り子１６０ａは、その重心が第２の回転軸１９４ａよりも前方かつ上方に位置するため、前方向または下方向の震動（慣性により後方または上方に留まろうとする震動）が発生した場合、右側面から見て右回転する。すると、第２の振り子傾斜端面３６６が、離間して相対していた第１の振り子傾斜端面３３６に衝突する。このような衝突は、第１の振り子１３０ａを右回転（第１の回転運動）させるように作用する。したがって、この衝突により、第１の振り子１３０ａによる前方への押力（ＦW）が大きくなる。
【００９９】
また、変形例４の第１の振り子１３０ａは、前方向または下方向の震動（慣性により後方または上方に留まろうとする震動）が発生した場合、上記した一実施形態（および変形例１〜３）と同様の態様で、右側面から見て右回転する。これによっても、第１の振り子１３０ａによる前方への押力（ＦW）が大きくなる。
【０１００】
前方向または上方向の震動が発生した際は、上記のようにして、第１の振り子１３０ａによる前方への押力（ＦW）が、バネ部材２４０ａの付勢力の後方成分（ＦS1）よりも大きくなる（ＦW＞ＦS1）。これにより、変形例４は、図２３（Ｂ）に示すように作動状態に切り替わる。
【０１０１】
変形例４の第２の振り子１６０ａは、その重心が第２の回転軸１９４ａよりも前方かつ上方に位置するため、後方向または上方向の震動（慣性により前方または下方に留まろうとする震動）が発生した場合、右側面から見て左回転する。すると、第２の振り子１６０ａが第１の振り子１３０ａを押す押力が大きくなる。このとき、第２の振り子１６０ａの下端部がカム部として作用する。すなわち、第２の振り子１６０ａの下端部が第１の振り子１３０ａを右回転（第１の回転運動）させるように押す。したがって、第１の振り子１３０ａによる前方への押力（ＦW）が大きくなる。
【０１０２】
また、変形例４の第１の振り子１３０ａは、後方向または上方向の震動（慣性により前方または下方に留まろうとする震動）が発生した場合、上記した一実施形態（および変形例１〜３）と同様の態様で、右側面から見て右回転する。これによっても、第１の振り子１３０ａによる前方への押力（ＦW）が大きくなる。
【０１０３】
後方向または上方向の震動が発生した際は、上記のようにして、第１の振り子１３０ａによる前方への押力（ＦW）が、バネ部材２４０ａの付勢力の後方成分（ＦS1）よりも大きくなる（ＦW＞ＦS1）。これにより、変形例４は、図２４に示すように作動状態に切り替わる。
【０１０４】
（その他の変形例）
なお、上記した一実施の形態に係る落下防止装置１０は、第１の振り子１３０ａの重心が回転軸１９０ａよりも後方且つ上方に位置する場合について説明した。しかしながら、回転軸１９０ａの重心は、回転軸１９０ａよりも後方にさえあればよい。すなわち、第１の振り子１３０ａの重心は、回転軸１９０ａよりも後方且つ下方に位置してもよい。このような第１の振り子１３０ａは、上方向または後方向の震動（慣性により下方または前方に留まろうとする震動）が発生した場合、右側面から見て右回転しようとする。これにより、第１の振り子１３０ａによる前方への押力（ＦW）が大きくなる。一方、このような第１の振り子１３０ａは、下方向または前方向の震動（慣性により上方または後方に留まろうとする震動）が発生した場合、右側面から見て左回転しようとする。しかしながら、第１の振り子１３０ａは、その第１の振り子上面１４６が、離間して相対していた第２の振り子１６０ａの後端部に衝突することにより跳ね返るため、右回転（第１の回転運動）することになる。これにより、第１の振り子１３０ａによる前方への押力（ＦW）が大きくなる。上記の通りであるため、第１の振り子１３０ａの重心は、回転軸１９０ａよりも後方且つ下方に位置してもよい。すなわち、第１の振り子１３０ａの重心は、回転軸１９０ａよりも後方にさえあればよい。
【０１０５】
なお、上記した一実施の形態に係る落下防止装置１０は、第２の振り子１６０ａ（１６０ｂ）の重心が、通常時において回転軸１９０ａ（１９０ｂ）の前方且つ上方に位置する場合について説明したが、これに限定されない。例えば、第２の振り子１６０ａ（１６０ｂ）の重心は、通常時において回転軸１９０ａ（１９０ｂ）の後方に位置してもよい。このとき、第２の振り子１６０ａ（１６０ｂ）は、回転軸１９０ａ（１９０ｂ）による締め付けを調整されることなどにより、第２の回転運動を停止し、その後端部が第１の振り子１３０ａ（１３０ｂ）の前端部と離間して相対する状態を維持してもよい。また、例えば、第１の振り子１３０ａ（１３０ｂ）および／または第２の振り子１６０ａ（１６０ｂ）の形状を適宜変更することにより、第２の振り子１６０ａ（１６０ｂ）の重心が回転軸１９０ａ（１９０ｂ）よりも下方に位置するようにしてもよい。
【０１０６】
なお、第１の振り子１３０ａ（１３０ｂ）（および第２の振り子１６０ａ（１６０ｂ））は、上記した一実施の形態に記載の形状に限定されない。すなわち、第１の振り子１３０ａ（１３０ｂ）は、回転軸１９０ａ（１９０ｂ）よりも後方に位置する重心と、回転軸１９０ａ（１９０ｂ）よりも下方においてアーム２００ａ（２００ｂ）の後端部に当接する前端部とを有することにより、アーム２００ａ（２００ｂ）の後端部に前方への押力（ＦW）を伝え、初期状態において前方への押力（ＦW）が付勢力の後方成分（ＦS1）よりも小さい（ＦW＜ＦS1）ことにより第１の回転運動を停止し、地震などの震動が発生した際、前方への押力（ＦW）が付勢力の後方成分（ＦS1）よりも大きくなる（ＦW＞ＦS1）ように第１の回転運動をし、アーム２００ａ（２００ｂ）を略前方へと移動させることができる形状であれば、他のどのような形状であってもよい。
【０１０７】
なお、上記した一実施の形態に係る落下防止装置１０は、初期状態においてストッパー８０の後部に第２の振り子前面１８４を当接させる場合について説明したが、この場合に限定されず、離間するように配設してもよい。これにより、第２の振り子１６０ａ（１６０ｂ）は、震動が発生した際、前後方向に往復して揺れ動くことができるため、落下防止装置１０の震動に対する感度が向上する。また、上記した一実施の形態に係る落下防止装置１０は、ストッパー８０を備えなくてもよい。これにより、落下防止装置１０は、部品点数の少ない簡単な構造となる。このとき、第２の振り子１６０ａ（１６０ｂ）（および第１の振り子１３０ａ（１３０ｂ））は、例えば、バネ部材２４０ａ（２４０ｂ）に当接することより、右側面から見て左回転することを規制されてもよい。
【０１０８】
なお、上記した一実施の形態に係る落下防止装置１０は、第１の被係合部６２および第２の被係合部７２が筐体２０ａ（２０ｂ）の側板６０に突設される場合について説明したが、これに限定されるものではない。例えば、筐体２０ａ（２０ｂ）の側板６０に厚み（左右方向の寸法）を持たせ、側板６０に溝を形成することにより第１の被係合部６２および第２の被係合部７２を設け、さらに、第１の被係合部６２と第２の被係合部７２を結ぶ間の部分にもアーム前方内側ダボ２０７が摺動するための溝を形成することにより、初期状態と作動状態の切り替えが行えるようにしてもよい。また、他の態様で第１の被係合部６２および第２の被係合部７２を形成してもよい。
【０１０９】
なお、上記した一実施の形態に係る落下防止装置１０は、落下防止バー２５０と棚板Ｓ１６の前端部とを左右方向に亘って連結するように配設される網状またはシート状の落下防止具をさらに備えてもよい。これにより、落下防止装置１０は、作動状態になったとき、棚Ｓ１０に収納された物品Ｍが落下防止バー２５０の下方をすり抜けて棚Ｓ１０から落下してしまうことを防止することができる。
【０１１０】
なお、上記した実施の形態に係る落下防止装置１０は、筐体２０ａ（２０ｂ）が側面に開口を有し、落下防止装置１０が棚Ｓ１０に取り付けられることにより、その開口が棚Ｓ１０の側板Ｓ１２に塞がれる場合について説明した。これにより、落下防止装置１０は部品点数を少なくすることができ、且つ組み立てを容易にすることができる。しかしながら、この場合に限定されず、筐体２０ａ（２０ｂ）がその側面の開口を塞ぐための板状のカバー部材をさらに備えてもよい。これにより、落下防止装置１０は、棚Ｓ１０の側板Ｓ１２に沿った位置だけでなく、その他の任意の位置（例えば、落下防止装置１０の幅寸法（左右方向の寸法）よりも十分に長い棚板Ｓ１６の上面における任意の位置や、棚Ｓ１０の天板の上面など）に取り付けて用いることができる。なお、このようなカバー部材は、例えば、筐体２０ａ（２０ｂ）の外側端面の四隅それぞれから筐体２０ａ（２０ｂ）の内側に向かって延びるように形成された取付け穴に、螺子などの固定手段を挿通して筐体２０ａ（２０ｂ）に固定されてもよい。
【０１１１】
なお、上記した実施の形態に係る落下防止装置１０が取り付けられる棚Ｓ１０は、例えば、本棚であってもよいし、その他の収納棚であってもよい。
【０１１２】
なお、この発明は、前記実施の形態に限定されるものではなく、その要旨の範囲内で種々に変形される。
【符号の説明】
【０１１３】
１０  落下防止装置
２０ａ，２０ｂ  筐体
３０  底板
３２  回転支持部
３４  支持前部
３６  支持天部
４０  支持背部
４２  支持背上部
４４  支持背下部
４６  支持長孔
４８  後方アーム挿入部
５０  後方アーム被スライド部
５２  第１の振り子前端挿通部
５４  後方アーム制動部
５６  前方アーム制動部
５８  筐体取付け孔
６０  側板
６２  第１の被係合部
６４  第１の前後方向ガイド部
６６  第１の鉤状部
７２  第２の被係合部
７４  上下方向ガイド部
７６  第２の前後方向ガイド部
７８  第２の鉤状部
８０  ストッパー
８２  筐体回転軸取付け部
８４  筐体回転軸取付け孔
８６  筐体回転軸取付け円環部
９０  前板
９２  前板外側部
９４  前板内側部
９６  前板長孔
９８  前方アーム挿入部
１００  前方アーム被スライド部
１１０  背板
１１２  第１の振り子制動部
１１４  第２の振り子制動部
１２０  天板
１２２  バネ一方端取付け部
１２４  バネ一方端取付け孔
１３０ａ，１３０ｂ  第１の振り子
１３２  第１の振り子本体
１３４  第１の振り子前端部
１３６  アーム後端当接部
１３８  第１の回転軸挿通孔
１４０  第１の振り子底面
１４２  第１の振り子背面円弧部
１４４  第１の振り子背面平坦部
１４６  第１の振り子上面
１４８  第１の振り子前面上部
１５０  第１の振り子前面中央部
１５２  第１の振り子前面下部
１６０ａ，１６０ｂ  第２の振り子
１６２  第２の振り子本体
１６４  第２の振り子前端部
１６８  第２の回転軸挿通部
１７０  第２の振り子底面円弧部
１７２  第２の振り子底面平坦部
１７４  第２の振り子背面下部
１７６  第２の振り子背面中央部
１７８  第２の振り子背面上部
１８０  第２の振り子上面後部
１８２  第２の振り子上面前部
１８４  第２の振り子前面
１９０ａ，１９０ｂ  回転軸
１９２ａ，１９２ｂ  第１の回転軸
１９４ａ，１９４ｂ  第２の回転軸
２００ａ，２００ｂ  アーム
２０２  アーム本軸部
２０４  アーム後端外側ダボ
２０５  アーム後端内側ダボ
２０６  アーム前方外側ダボ
２０７  アーム前方内側ダボ
２０８  バネ他方端取付け孔
２１０  アーム突部
２１２  アーム屈曲部
２１４  落下防止バー取付け部
２１８  落下防止バー取付け孔
２４０ａ，２４０ｂ  バネ部材
２４２  コイル部
２４４  バネ一方端部
２４６  バネ他方端部
２５０  落下防止バー
２５２  長さ調節孔
２５８  軸孔
２６０ａ，２６０ｂ  螺子
３３２  第１の振り子前後延在端面
３３４  第１の振り子上下延在端面
３３６  第１の振り子傾斜端面
３６２  第２の振り子前後延在端面
３６４  第２の振り子上下延在端面
３６６  第２の振り子傾斜端面
Ｍ  物品
Ｓ１０  棚
Ｓ１２  側板
Ｓ１４  背板
Ｓ１６  棚板
【図１】
0006484527.tif 000002
【図２】
0006484527.tif 000003
【図３】
0006484527.tif 000004
【図４】
0006484527.tif 000005
【図５】
0006484527.tif 000006
【図６】
0006484527.tif 000007
【図７】
0006484527.tif 000008
【図８】
0006484527.tif 000009
【図９】
0006484527.tif 000010
【図１０】
0006484527.tif 000011
【図１１】
0006484527.tif 000012
【図１２】
0006484527.tif 000013
【図１３】
0006484527.tif 000014
【図１４】
0006484527.tif 000015
【図１５】
0006484527.tif 000016
【図１６】
0006484527.tif 000017
【図１７】
0006484527.tif 000018
【図１８】
0006484527.tif 000019
【図１９】
0006484527.tif 000020
【図２０】
0006484527.tif 000021
【図２１】
0006484527.tif 000022
【図２２】
0006484527.tif 000023
【図２３】
0006484527.tif 000024
【図２４】
0006484527.tif 000025